【事件の表示】
　特許第６７１９６５６号発明「染毛料組成物」の特許異議申立事件について、次のとおり決定する。
【結　論】
　特許第６７１９６５６号の請求項１ないし４に係る特許を維持する。
【理　由】
［第１］手続の経緯
　特許第６７１９６５６号の請求項１〜４に係る特許についての出願は、平成３０年３月１５日（優先権主張　２０１７年３月２９日）を国際出願日とする出願であって、令和２年６月１８日にその特許権の設定登録がされ、同年７月８日に特許掲載公報が発行され、令和３年１月６日にその特許に対し、特許異議申立人：臼井智晃（以下、単に「申立人」ということがある）により特許異議の申立てがされたものである。
［第２］本件特許発明
　特許第６７１９６５６号の請求項１〜４の特許に係る発明は、その特許請求の範囲の請求項１〜４に記載された事項により特定される次のとおりのものである。
「　【請求項１】
　下記成分Ａ、下記成分Ｂ、下記成分Ｃ、及び下記成分Ｄを含有し、
　前記成分Ａの含有量が０．５〜３．０質量％であり、
　前記成分Ｂの含有量が０．０５〜１．０質量％であり、
　前記成分Ｃの含有量が０．０１〜０．５質量％であり、
　前記成分Ｄの含有量が０．１〜１．５質量％であり、
　前記成分Ａ及び前記成分Ｂの合計量と、前記成分Ｃ及び前記成分Ｄの合計量の質量比［｛（成分Ａの含有量）＋（成分Ｂの含有量）｝／｛（成分Ｃの含有量）＋（成分Ｄの含有量）｝］が０．１〜５．０である、染毛料組成物。
　成分Ａ：ＨＣ青１６
　成分Ｂ：塩基性茶１６及び塩基性茶１７からなる群より選ばれる１以上の染料
　成分Ｃ：ＨＣ黄４及びＨＣ黄２からなる群より選ばれる１以上の染料
　成分Ｄ：ＨＣ青２
【請求項２】
　前記成分Ｃ１００質量％中の、前記ＨＣ黄２の含有量が５０．０質量％以上である請求項１に記載の染毛料組成物。
【請求項３】
　カラーリンス又はカラートリートメントである請求項１又は２に記載の染毛料組成物。
【請求項４】
　さらに、下記成分Ｅを含有する請求項３に記載の染毛料組成物。
　成分Ｅ：カチオン性界面活性剤、カチオン性ポリマー、及びシリコーン油からなる群より選ばれる１以上の成分　　」
　
※当審注：
　・以下、上記請求項１〜請求項４に係る発明を順に「特許発明１」〜「特許発明４」ということがあり、また、これらをまとめて単に「特許発明」ということがある）
　・以下、上記請求項１の「［｛（成分Ａの含有量）＋（成分Ｂの含有量）｝／｛（成分Ｃの含有量）＋（成分Ｄの含有量）｝］」を、単に「（成分Ａ＋成分Ｂ）／（成分Ｃ＋成分Ｄ）」、「（Ａ＋Ｂ）／（Ｃ＋Ｄ）」等と略記することがある。
　　
［第３］特許異議申立ての理由
　申立人は、特許異議申立書（以下、単に「異議申立書」ということがある）において、以下の甲号証を提出しつつ、本件発明は次の１〜３（以下、「申立理由１」〜「申立理由３」等ということがある）により取り消されるべきものと主張している。
１　申立理由１：特許法第２９条第２項（同法第１１３条第２号）
　特許発明１〜４は、甲第１号証に記載された発明及び甲第１〜３、５、６号証の記載に基づいて当業者が容易に発明をすることができたものであるから、それら特許発明１〜４に係る特許は、特許法第２９条第２項の規定により特許を受けることができない発明についてなされたものであり、同法第１１３条第２号に該当し、取り消すべきものである。
２　申立理由２：特許法第２９条第２項（同法第１１３条第２号）
　特許発明１〜４は、甲第４号証に記載された発明及び甲第１〜６号証の記載に基づいて当業者が容易に発明をすることができたものであるから、それら特許発明１〜４に係る特許は、特許法第２９条第２項の規定により特許を受けることができない発明についてなされたものであり、同法第１１３条第２号に該当し、取り消すべきものである。
３　申立理由３：特許法第３６条第６項第１号（同法第１１３条第４号）
　特許発明１〜４は、概要次の（１）、（２）の点において、特許明細書の発明の詳細な説明に記載した範囲を超えるものであるから、それら特許発明１〜４に係る特許は、特許法第３６条第６項第１号に規定する要件を満たしていない請求項の発明についてなされたものであり、同法第１１３条第４号に該当し、取り消すべきものである。
（１）　特許明細書の段落【０００６】には、【発明が解決しようとする課題】として、「本発明は、上記従来技術に鑑みてなされたものであって、本発明の目的は、毛髪に対する十分な染色性を有するにもかかわらず、皮膚への染着性は抑えられた染毛料組成物を提供することである。」と記載されているところ、特許明細書の比較例１−６〜１−１０には、「塩基性青７５」を０．０５質量％含有すると、「皮膚汚れ」の評価が「×」になることが記載されている。ここで、直接染料の含有量が多くなると、さらに地肌汚れが生じやすいことは本件特許優先日前周知技術であることから、比較例１−６〜１−１０の処方に「ＨＣ青１６」を添加しても「塩基性青７５」による皮膚汚れを改善することは常識的にあり得ない。
　即ち、特許明細書には、「塩基性青７５」を０．０５質量％以上含有した場合には、皮膚への染着性は抑えられた染毛料組成物を提供するこができないことが開示されているといえるから、本件特許発明１〜４は、発明の詳細な説明に記載された、発明の課題を解決するための手段が反映されていないため、発明の詳細な説明に記載した範囲を超えて特許を請求している。
（２）　本件特許請求の範囲の請求項１には、「前記成分Ａ及び前記成分Ｂの合計量と、前記成分Ｃ及び前記成分Ｄの合計量の質量比［｛（成分Ａの含有量）＋（成分Ｂの含有量）｝／｛（成分Ｃの含有量）＋（成分Ｄの含有量）｝］が０．１〜５．０」と記載されているところ、特許明細書の【００９６】〜【００９８】では、実施例１−１、実施例２−１、実施例１−７及び実施例２−１１について「ダメージ毛に対する色ムラ」が評価されており、実施例１−１（Ａ＋Ｂ／Ｃ＋Ｄの比「１．２７」）及び実施例２−１（Ａ＋Ｂ／Ｃ＋Ｄの比「０．４１」）では「○」、実施例１−７（Ａ＋Ｂ／Ｃ＋Ｄの比「３３．３」）及び実施例２−１１（Ａ＋Ｂ／Ｃ＋Ｄの比「９．０９」）では「×」という結果が記載されている。そして、直接染料の含有量におけるＨＣ染料の割合を大きくすれば、ダメージ毛に対する色ムラが少なくなることは予測されるものの、ＨＣ染料の割合をどの程度まで小さくしても（Ａ＋Ｂ／Ｃ＋Ｄを大きくしても）色ムラが「良好」であるかどうかは、実験をしてみなければ判然としない。
　してみると、「前記成分Ａ及び前記成分Ｂの合計量と、前記成分Ｃ及び前記成分Ｄの合計量の質量比」の上限値である「５．０」において、ダメージ毛に対する色ムラを改善するとは認められないから、特許発明１〜４は、出願時の技術常識に照らしても、請求項に係る発明の範囲まで、発明の詳細な説明に開示された内容を拡張ないし一般化できるとはいえない。
［甲号証］
・甲第１号証：特開２０１４−１０１２９２号公報
・甲第２号証：特表２０１６−５０１２０７号公報
・甲第３号証：特開２０１６−２１６４３１号公報
・甲第４号証：特開２０１４−１０１２９１号公報
・甲第５号証：特開２０１３−１４４６４５号公報
・甲第６号証：特開２０１６−４１６７２号公報
※当審注：
　・以下、「甲第１号証」〜「甲第６号証」を、順に「甲１」〜「甲６」と略記することがある。
［第４］当審の判断
１．甲号証の記載事項
　※当審注：下線は当審による。
（１）甲１
・甲１ａ）特許請求の範囲
「　【請求項１】
下記（Ａ）〜（Ｄ）の染料を含有し、ｐＨが４〜６の範囲内であることを特徴とする染毛料組成物。
　
（Ａ）塩基性青７５（Basic Blue 75）
　
（Ｂ）塩基性茶１６（Basic Brown 16）及び塩基性茶１７（Basic Brown 17）から選ばれる１種以上
　
（Ｃ）ＨＣ青２（HC Blue No.2）
　
（Ｄ）ＨＣ黄４（HC Yellow No.4）
【請求項２】
前記染毛料組成物における各染料の含有量が
（Ａ）≦０．５質量％
（Ｂ）≦０．５質量％
塩基性染料（Ａ）、（Ｂ）の合計含有量T BasicとＨＣ染料（Ｃ）、（Ｄ）の合計含有量T HCとの質量比T Basic／T HCが１．５以下
・甲１ｂ）【０００１】〜【０００８】
「　【技術分野】
【０００１】
　本発明は染毛料組成物に関する。更に詳しくは本発明は、カラートリートメントにおける
直接染料として特定の塩基性染料及びＨＣ染料を組合わせて用いる
【背景技術】
【０００２】
　染毛用の組成物は、通常、酸化染料を用いる酸化染毛剤等の永久染毛剤、
直接染料を用いる半永久染毛料
【０００３】
  ヘアトリートメント等の毛髪化粧料における優れたコンディショニング用成分としてカチオン性界面活性剤が汎用される一方、
半永久染毛料に用いる直接染料
そこで、カチオン性や非イオン性等の直接染料が好ましく用いられる。
　・・・
【発明が解決しようとする課題】
【０００６】
　・・・
直接染料は酸化染料に比較して染毛力や染着力が劣る
染着力が比較的優れた塩基性染料の配合量を多くして染毛力を高めようとすると、塩基性染料の皮膚への染着（地肌汚れ）が懸念される
【０００７】
　次に、
直接染料はシャンプー堅牢性等が不十分である（色落ちし易い）
色落ちにより変色し易い
染毛色調が変化し易い
染料自体が変色や褪色を起こし易く（・・・）、オーバータイム時の変色も多い
【０００８】
　そこで本発明は、酸性染料以外の直接染料を用いたカラートリートメントにおける
地肌汚れを抑制する
継続使用における変色を抑制し
オーバータイム時の変色も抑制し
カラートリートメント使用後に酸化染毛剤で染毛するという継続使用の際に染毛色調の変色を抑制する
・甲１ｃ）【０００９】〜【００１８】
「　【課題を解決するための手段】
【０００９】
　（
第１発明
　上記課題を解決するための第１発明の構成は、下記（Ａ）〜（Ｄ）の染料を含有し、ｐＨが４〜６の範囲内である、染毛料組成物である。
【００１０】
　（Ａ）塩基性青７５（Basic Blue 75）
　（Ｂ）塩基性茶１６（Basic Brown 16）及び塩基性茶１７（Basic Brown 17）から選ばれる１種以上
　（Ｃ）ＨＣ青２（HC Blue No.2）
　（Ｄ）ＨＣ黄４（HC Yellow No.4）
【００１１】
　（
第２発明
　上記課題を解決するための第２発明の構成は、前記第１発明に係る染毛料組成物における各染料の含有量が（Ａ）≦０．５質量％、（Ｂ）≦０．５質量％、（Ｃ）≦１．０質量％、（Ｄ）≦０．５質量％であり、かつ、塩基性染料（Ａ）、（Ｂ）の合計含有量T BasicとＨＣ染料（Ｃ）、（Ｄ）の合計含有量T HCとの質量比T Basic／T HCが１．５以下である、染毛料組成物である。
【発明の効果】
【００１２】
　（
第１発明
　第１発明の染毛料組成物のように、
直接染料として塩基性染料とＨＣ染料を併用する
【００１３】
　
塩基性染料はカチオン性であるため、相対的に染着性と水溶性に優れる
ＨＣ染料は非イオン性であり水溶性は低いが、毛髪のキューティクルの内部まで入って蓄積しやすく、特に繰り返しの使用において染毛力を向上させる
塩基性染料の過剰配合が回避され、塩基性染料の過剰配合に起因する地肌汚れを抑制できる
【００１４】
　更に、特に黒色系や茶色系に必須の重要な配合色である
青色系の塩基性染料
第１発明の染毛料組成物では、青色系の塩基性染料として
塩基性青７５を含有する。塩基性青７５は、塩基性染料としては、色落ちし難いだけでなく、変色も起こし難い。
【００１５】
　なお、塩基性染料としての
塩基性茶１６及び塩基性茶１７
ＨＣ青２
ＨＣ黄４
【００１６】
　第１発明の染毛料組成物は、
塩基性染料として基本的配合色である青色系の塩基性青７５と、茶色系の塩基性茶１６及び／又は塩基性茶１７を用い
【００１７】
　染毛料組成物は、変色の抑制のため、ｐＨが４〜６の範囲内に調整されていることが必要である。
【００１８】
　（
第２発明
　第２発明の染毛料組成物においては、「
塩基性青７５の配合量を０．５質量％以下
塩基性茶１６／塩基性茶１７の配合量を０．５質量％以下
塩基性染料の合計含有量とＨＣ染料の合計含有量との質量比T Basic／T HCを１．５以下とするため
塩基性染料やＨＣ染料の皮膚への染着（地肌汚れ）が更に良好に抑制される
塩基性染料とＨＣ染料との染毛効果が良好にバランスされる
・甲１ｄ）【００２０】〜【００３５】
「　【００２０】
　〔染毛料組成物〕
　本発明の染毛料組成物は、塩基性染料とＨＣ染料を含有し、半永久染毛料としての染毛効果を示す染毛料である。・・・
　・・・
【００２３】
　〔染毛料組成物の
必須成分
　本発明の染毛料組成物は、
必須成分として
塩基性青７５（Basic Blue 75）
塩基性茶１６（Basic Brown 16）及び塩基性茶１７（Basic Brown 17）から選ばれる１種以上
ＨＣ青２（HC Blue No.2）
ＨＣ黄４（HC Yellow No.4）
　・・・
【００２４】
　
（塩基性青７５）
 （Ａ）成分である塩基性青７５・・・
【００２５】
　・・・
　染毛料組成物における（Ａ）成分の含有量は限定されないが、「第２発明の効果」の項で述べた理由から、
好ましくは０．５質量％以下
【００２６】
　
（塩基性茶１６、塩基性茶１７）
　（Ｂ）成分である塩基性茶１６・・・
【００２７】
　・・・
　（Ｂ）成分である塩基性茶１７・・・
【００２８】
　・・・
　染毛料組成物における（Ｂ）成分の含有量は限定されないが、「第２発明の効果」の項で述べた理由から、
好ましくは０．５質量％以下
【００２９】
　
（ＨＣ青２）
　（Ｃ）成分であるＨＣ青２・・・
　・・・
【００３０】
　・・・
　染毛料組成物における（Ｃ）成分の含有量は限定されないが、「第２発明の効果」の項で述べた理由から、
好ましくは１．０質量％以下
【００３１】
　
（ＨＣ黄４）
　（Ｄ）成分であるＨＣ黄４・・・
　・・・
【００３２】
　・・・
　染毛料組成物における（Ｄ）成分の含有量は限定されないが、「第２発明の効果」の項で述べた理由から、
好ましくは０．５質量％以下
【００３３】
　
（塩基性染料（Ａ）、（Ｂ）の合計含有量、ＨＣ染料（Ｃ）、（Ｄ）の合計含有量）
  塩基性染料（Ａ）、（Ｂ）の合計含有量T Basicと、ＨＣ染料（Ｃ）、（Ｄ）の合計含有量T HCとの質量比
T Basic／THC
好ましくは１．５以下
　塩基性染料（Ａ）、（Ｂ）の合計含有量
T Basic
１．０質量％以下が好ましい
【００３４】
　ＨＣ染料（Ｃ）、（Ｄ）の合計含有量
T HC
１．５質量％以下が好ましい
【００３５】
　（水）
　なお、染毛料組成物は、その製剤上、実際には水を必要とする。　」
・甲１ｅ）【００３６】〜【００７６】
「　【００３６】
　〔染毛料組成物におけるその他の有用成分〕
　本発明の染毛料組成物は、上記した必須成分の他に、好ましくは、以下の成分を含有する。以下において、染毛料組成物中における配合量を特に記載しないものについては、必要に応じて適宜に配合量が決定される。
【００３７】
　（カチオン性界面活性剤）
　本発明の染毛料組成物は、コンディショニング成分としてカチオン性界面活性剤の１種以上を含有することが好ましい。
　・・・
【００４３】
　（カチオン性ポリマー）
　染毛料組成物は、カチオン性界面活性剤以外のコンディショニング成分としてカチオン性ポリマーを好ましく含有することができる。
　・・・
【００５０】
　
（その他の染料）
　染毛料組成物は、
上記した（Ａ）〜（Ｄ）成分以外の塩基性染料、ＨＣ染料その他の各種の直接染料を含有することができる
【００５１】
　
（Ａ）、（Ｂ）成分以外の塩基性染料
【００５２】
　なお、
変色を起こし易いBasic Blue 99等の塩基性染料は、余り含有しないことが好ましく、含有するとしても染毛料組成物中の１質量％以下に制限することが好ましい
【００５３】
　
（Ｃ）、（Ｄ）成分以外のＨＣ染料
【００５４】
　なお、ＨＣ染料中でも変色を起こし易い４−ヒドロキシプロピルアミノ−３−ニトロフェノ−ル、３−ニトロ−ｐ−ヒドロキシエチルアミノフェノ−ル等は余り含有しないことが好ましく、含有するとしても染毛料組成物中の０．５質量％以下に制限することが好ましい。
【００５５】
　上記以外の染料として、天然染料、ＨＣ染料以外のニトロ染料、分散染料等が挙げられる。
【００５６】
　天然染料としては、クチナシ色素、ウコン色素、アナトー色素、銅クロロフィリンナトリウム、パプリカ色素、ラック色素等を例示できる。
【００５７】
　ニトロ染料としては、４−ニトロ−ｏ−フェニレンジアミン、２−ニトロ−ｐ−フェニレンジアミン、２−アミノ−４−ニトロフェノール、２−アミノ−５−ニトロフェノール、ピクラミン酸、ピクリン酸、及びそれらの塩を例示できる。
【００５８】
　分散染料としては、Disperse Black 9、Disperse Blue 1、Disperse Blue 3、Disperse Blue 7、Disperse Brown 4、Disperse Orange 3、Disperse Red 11、Disperse Red 15、Disperse Red 17、Disperse Violet 1、Disperse Violet 4、Disperse Violet 15等を例示できる。
【００５９】
　（カチオン性界面活性剤以外の界面活性剤）
　カチオン性界面活性剤以外の界面活性剤を、カチオン性界面活性剤と組み合わせて配合しても良い。但し、アニオン性界面活性剤は好ましくなく、含有するとしても本発明の効果を妨げない程度の配合量に制限して含有することが好ましい。従って両性イオン性界面活性剤と非イオン性界面活性剤が好ましい。
　・・・
【００６５】
　（油性成分）
　油性成分として、油脂、ロウ、炭化水素、アルキルグリセリルエーテル、エステル、シリコーン、高級アルコール等が挙げられる。これらの１種又は２種以上を使用することができる。これらの油性成分の内、２５℃、１気圧下で液状のエステルや、高級アルコールは特に好ましい。
　・・・
【００７３】
　（水溶性ポリマー）
　前記したカチオン性ポリマー以外の各種の水溶性ポリマーを配合することができる。但し、アニオン性ポリマーは好ましくなく、含有するとしても本発明の効果を妨げない程度の配合量に制限して含有することが好ましい。これらの水溶性ポリマーとして、両性ポリマー、各種の天然系ポリマーが好ましい。
　・・・
【００７６】
　〔染毛料組成物におけるその他の任意的配合成分〕
　本発明の染毛料組成物は、以上の各成分の他にも、例えば、溶剤、増粘剤、酸性アミノ酸を除くアミノ酸類、ソルビトール、マルトース等の糖類、パラベン、安息香酸ナトリウム等の防腐成分、ＥＤＴＡ−２Ｎａ、ジエチレントリアミン５酢酸、ヒドロキシエタンジホスホン酸等のキレート成分、フェナセチン、８−ヒドロキシキノリン、アセトアニリド、フェノキシエタノール、ピロリン酸ナトリウム、バルビツール酸、尿酸、タンニン酸等の安定成分、ｐＨ調整成分、亜硫酸Ｎａ等の酸化防止剤、植物又は生薬抽出物、アスコルビン酸類を含むビタミン類、香料、等から選ばれる１種以上を配合しても良い。また、例えば、「医薬部外品原料規格２００６」（薬事日報社）に収載されるものから選ばれる少なくとも一種を配合してもよい。　」
・甲１ｆ）【００７７】〜【００９２】
「　【実施例】
【００７７】
　次に本発明の実施例及び比較例を説明する。本発明の技術的範囲は以下の実施例及び比較例によって限定されない。
【００７８】
　〔染毛料組成物の調製〕
　後述の表１、表２に示す実施例１〜１６及び表３に示す比較例１〜１２に係る組成の１剤式の染毛料組成物を、それぞれ常法に従いクリーム状の乳化剤として調製した。
【００７９】
　表１〜表３において、各成分の含有量を示す数値は質量％単位の表記である。・・・、染毛料組成物におけるそれぞれ（Ａ）成分〜（Ｄ）成分の各成分に該当する染料については、表１〜表３の成分名の欄の左側欄外にそれぞれ、「Ａ」〜「Ｄ」と付記した。
【００８０】
　・・・、「原液ｐＨ」の欄には各実施例、各比較例に係る染毛料組成物のｐＨを表示し、「[(A)+(B)]／[(C)+(D)]」の欄には各実施例、各比較例に係る染毛料組成物における塩基性染料（Ａ）、（Ｂ）の合計含有量とＨＣ染料（Ｃ）、（Ｄ）の合計含有量との質量比（即ち、前記の質量比T Basic／T HC）を表示した。
【００８１】
　〔染毛料組成物の評価〕
　・・・
【００８２】
　
（染毛力）
　各実施例、各比較例に係る染毛料組成物１ｇをそれぞれ、白髪混じりの人毛毛束に塗布し、１０分間放置後に水洗することにより、人毛毛束に対する染毛処理を完了した。
【００８３】
　上記染毛処理の完了後に１０名のパネラーが人毛毛束の染色の程度を目視にて観察し、染毛力が、非常に優れる（５点）、優れる（４点）、やや優れる（３点）、やや悪い（２点）、悪い（１点）、の５段階で評価した。各パネラーの採点結果の平均値を少数点第１位で四捨五入して、各例の評価点を算出した。その評価結果を各表の「染毛力」の欄に示す。
【００８４】
　なお、付記すれば、染毛力の評価点の高い染毛料組成物ほど、低温での保存時における染料の析出が少なく、染毛料組成物における「染毛力」と「染料析出の無さ」との間には直線的な相関性が認められた。
【００８５】
　
（染毛料の連用や酸化染毛剤使用による変色抑制）
　上記の「染毛力」の項に述べた染毛処理を行った各実施例、各比較例に係る人毛毛束（各例ごとに２本ずつ）について、その染毛色調を確認しておいた。
【００８６】
　そして、各例ごとに２本ずつの染毛処理済みの人毛毛束の内の１本の毛束に対しては、同一の染毛処理を更に４回繰り返して行い、人毛毛束に対する染毛料の連用を行った。又、染毛処理済みの他の１本の毛束に対しては、更に、一般的な酸化染毛剤（茶色系）であるホーユー株式会社の「シエロヘアカラーＥＸミルキー（商標）」を用いて、酸化染毛処理を行い、染毛料と酸化染毛剤の継続使用を行った。
【００８７】
　そして各実施例、各比較例ごとに、上記の染毛料の連用後の１本の毛束の染毛色調と、上記の酸化染毛剤の継続使用後の他１本の毛束の染毛色調について、最初の染毛処理後に確認した染毛色調との対比により、変色の抑制が良好であるか否かを目視にて観察し、これらの2本の毛束の観察結果を総合して、変色抑制効果を評価した。
【００８８】
　この評価は１０名のパネラーが行い、変色抑制効果が、非常に優れる（４点）、優れる（３点）、やや劣る（２点）、劣る（１点）、の４段階で評価した。各パネラーの採点結果の平均値を算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「染毛料の連用や酸化染毛剤使用による変色抑制」の欄に示す。
【００８９】
　
（オーバータイム時の変色抑制）
　各実施例、各比較例に係る染毛料組成物１ｇをそれぞれ、白髪混じりの人毛毛束に塗布し、３０分間放置後に水洗することにより、人毛毛束に対するオーバータイムの染毛処理を完了した。そして、各実施例、各比較例ごとに、毛束の染毛色調について、上記の「染毛力」の評価において染毛処理を行った人毛毛束との対比により、変色の抑制が良好であるか否かを目視にて観察し、これらの毛束との対比観察の結果を総合して、変色抑制効果を評価した。
【００９０】
　この評価は１０名のパネラーが行い、変色抑制効果が、非常に優れる（４点）、優れる（３点）、やや劣る（２点）、劣る（１点）、の４段階で評価した。各パネラーの採点結果の平均値を算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「オーバータイム時の変色抑制」の欄に示す。
【００９１】
　
（地肌汚れ）
　各実施例、各比較例に係る染毛料組成物１ｇをそれぞれ、腕の内側部における直径１ｃｍの円形のエリアに塗布し、１０分間放置した後、温水で洗い流した。次に、石鹸を使用して指で１分間軽く擦り、温水で洗い流した。
【００９２】
　以上の処理の後、１０名のパネラーが地肌汚れ（皮膚への染着の度合い）を目視にて観察し、地肌汚れが、非常に少ない（４点）、少ない（３点）、やや多い（２点）、多い（１点）、の４段階で評価した。各パネラーの採点結果の平均値を算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「地肌汚れ」の欄に示す。　」
・甲１ｇ）【００９３】〜【００９５】
「　【００９３】
【表１】
【００９４】
【表２】
【００９５】
【表３】
　　　　　　　　　　　　　　　　　　　　　　　　　　　　　　」
・甲１ｈ）【００９６】
「　〔その他の実施例〕
　　上記の表１〜表３に示した実施例とは別の、本発明の染毛料組成物（１剤式）の実施例を以下に示す。精製水についての「質量％」の項の「残量」の意味、及び乳酸についての「ｐＨ５に調整」の意味は表１〜表３に示した実施例の場合と同様である。
【００９６】
　（実施例１７）
　　　　　　　　　　　　　　　　　　　　　　　　　　　　　質量％
Ｂａｓｉｃ　Ｂｌｕｅ　７５　　　　　　　　　　　　　　　　０．１
Ｂａｓｉｃ　Ｂｒｏｗｎ　１６　　　　　　　　　　　　　　　０．３
ＨＣ　Ｂｌｕｅ　Ｎｏ．２　　　　　　　　　　　　　　　　　０．５
ＨＣ　Ｙｅｌｌｏｗ　Ｎｏ．４　　　　　　　　　　　　　　　０．１
ミリスチン酸オクチルドデシル　　　　　　　　　　　　　　　１．５
ステアリン酸ジメチルアミノプロピルアミド　　　　　　　　　３
ヒアルロン酸ヒドロキシプロピルトリモニウム　　　　　　　　０．２
セタノール　　　　　　　　　　　　　　　　　　　　　　　　５
ミツロウ　　　　　　　　　　　　　　　　　　　　　　　　　０．５
流動パラフィン　　　　　　　　　　　　　　　　　　　　　　３
グリセリン　　　　　　　　　　　　　　　　　　　　　　　　２
乳酸　　　　　　　　　　　　　　　　　　　　　　　　ｐＨ５に調整
フェノキシエタノール　　　　　　　　　　　　　　　　　　　０．３
ジメチルポリシロキサン　　　　　　　　　　　　　　　　　　０．５
海泥〔マリンシルトＦＰ；株式会社アンコール・アン製〕　　　１
黒米エキス〔黒米エキス−ＰＣ；オリザ油化株式会社製〕　　　０．１
海藻エキス
　　〔ファルコレックスケルプ；一丸ファルコス株式会社製〕　０．１
香料　　　　　　　　　　　　　　　　　　　　　　　　　　　０．５
精製水　　　　　　　　　　　　　　　　　　　　　　　　　　残量
　（実施例１８）
　　　　　　　　　　　　　　　　　　　　　　　　　　　　　質量％
Ｂａｓｉｃ　Ｂｌｕｅ　７５　　　　　　　　　　　　　　　　０．０１
Ｂａｓｉｃ　Ｂｒｏｗｎ　１７　　　　　　　　　　　　　　　０．１
ＨＣ　Ｂｌｕｅ　Ｎｏ．２　　　　　　　　　　　　　　　　　０．５
ＨＣ　Ｙｅｌｌｏｗ　Ｎｏ．４　　　　　　　　　　　　　　　０．１
ミリスチン酸オクチルドデシル　　　　　　　　　　　　　　　１．５
ベヘニン酸ジメチルアミノプロピルアミド　　　　　　　　　　３
セトステアリルアルコール　　　　　　　　　　　　　　　　　８
流動パラフィン　　　　　　　　　　　　　　　　　　　　　　０．５
グリセリン　　　　　　　　　　　　　　　　　　　　　　　　１
乳酸　　　　　　　　　　　　　　　　　　　　　　　　ｐＨ５に調整
フェノキシエタノール　　　　　　　　　　　　　　　　　　　０．３
アモジメチコン　　　　　　　　　　　　　　　　　　　　　　０．５
加水分解コラーゲン　　　　　　　　　　　　　　　　　　　　０．１
ローヤルゼリーエキス　　　　　　　　　　　　　　　　　　　０．１
アボカド油　　　　　　　　　　　　　　　　　　　　　　　　０．１
タウリン　　　　　　　　　　　　　　　　　　　　　　　　　０．１
テアニン　　　　　　　　　　　　　　　　　　　　　　　　　０．１
アセチルグルコサミン　　　　　　　　　　　　　　　　　　　０．１
香料　　　　　　　　　　　　　　　　　　　　　　　　　　　０．５
精製水　　　　　　　　　　　　　　　　　　　　　　　　　　残量
　（実施例１９）
　　　　　　　　　　　　　　　　　　　　　　　　　　　　　質量％
Ｂａｓｉｃ　Ｂｌｕｅ　７５　　　　　　　　　　　　　　　　０．０２
Ｂａｓｉｃ　Ｂｒｏｗｎ　１６　　　　　　　　　　　　　　　０．１
Ｂａｓｉｃ　Ｂｒｏｗｎ　１７　　　　　　　　　　　　　　　０．１
ＨＣ　Ｂｌｕｅ　Ｎｏ．２　　　　　　　　　　　　　　　　　０．５
ＨＣ　Ｙｅｌｌｏｗ　Ｎｏ．４　　　　　　　　　　　　　　　０．１
ミリスチン酸オクチルドデシル　　　　　　　　　　　　　　　１．５
ステアリン酸ジメチルアミノプロピルアミド　　　　　　　　　２
ベヘニン酸ジメチルアミノプロピルアミド　　　　　　　　　　１
ステアリルアルコール　　　　　　　　　　　　　　　　　　　８
グリセリン　　　　　　　　　　　　　　　　　　　　　　　　２
乳酸　　　　　　　　　　　　　　　　　　　　　　　　ｐＨ５に調整
フェノキシエタノール　　　　　　　　　　　　　　　　　　　０．３
サクラエキス〔サクラエキスＢ；一丸ファルコス株式会社製〕　０．１
桜の花エキス〔桜の花エキス−ＰＣ；オリザ油化株式会社製〕　０．１
酵母エキス（３）〔赤ワイン酵母エキス；永遠幸メディカル
　　コスメティック株式会社〕　　　　　　　　　　　　　　　０．１
香料　　　　　　　　　　　　　　　　　　　　　　　　　　　０．５
精製水　　　　　　　　　　　　　　　　　　　　　　　　　　残量　」
（２）甲２
・甲２ａ）特許請求の範囲
「　【請求項１】
　化粧品用キャリヤー中に
（ａ）式（Ｉ）
【化１】
［式中、Ｒ１、Ｒ２、Ｒ３は独立してＣ１〜Ｃ６アルキル基を意味し、
ｎは２〜８の整数を意味し、
Ａ−は生理学的に許容可能なアニオンを意味する］
で示される少なくとも１つのカチオン性アントラキノン誘導体
（ｂ）式（Ｉ）とは異なる少なくとも１つの更なるカチオン性直接染料
（ｃ）少なくとも１つの両性および／または双性イオン性界面活性剤、および
（ｄ）少なくとも１つのカチオン性ポリマー
を含有する、ケラチン繊維、特にヒトの毛を染色するための剤。
【請求項２】
　式（Ｉ）［式中、Ｒ１およびＲ２はそれぞれメチル基を意味し、Ｒ３はｎ−プロピル基を意味し、ｎは２または３、好ましくは３を意味する］で示される少なくとも１つのカチオン性アントラキノン誘導体（ａ）を含有することを特徴とする、請求項１に記載の剤。
【請求項３】
　剤の総重量に基づいてそれぞれの場合に
０．０００５〜０．５重量％、好ましくは０．０２〜０．４重量％、より好ましくは０．０５〜０．３重量％、特に好ましくは ０．１０〜０．３５重量％の総量
【請求項４】
　式（Ｉ）とは異なるカチオン性直接染料（ｂ）は、
ベーシックイエロー８７
ベーシックレッド５１
ベーシックオレンジ３１
ベーシックバイオレット２
【請求項５】
　剤の総重量に基づいてそれぞれの場合に０．０００５〜０．５５重量％、好ましくは０．００５〜０．４０重量％、より好ましくは０．０２５〜０．３０重量％、特に好ましくは０．０５〜０．２０重量％の総量で、式（Ｉ）とは異なる１つ以上のカチオン性直接染料（ｂ）を含有することを特徴とする、請求項１〜４のいずれかに記載の剤。
　・・・　」
・甲２ｂ）【０００２】〜【０００９】
「　【背景技術】
【０００２】
　直接染料または酸化染料はいずれも一般的にケラチン繊維を染色するために使用されている。・・・。直接染料はより穏やかな条件下で適用される。しかしながら、直接染料は、特に毛を洗った際、或いは外的影響（例えば、日光、または例えばスイミングプールの水のような反応性環境化学物質）に対しても、
着色の堅牢度特性
【０００３】
　魅力的な毛の色に加えて、消費者は
光沢のある毛
【０００４】
　多様な色合いに毛を着色するための様々な方法は、先行技術から既に知られている。多種多様な組成物は例えばＣＡ  ２６１３０４９  Ａ１に開示されている。しかしながら、強い着色と同時に非常に高い光沢をもたらす新規な着色剤に対する要求はなお存在する。
【０００５】
　特に、
長期にわたる光沢をもたらすことができる新規な着色剤
　・・・
【発明が解決しようとする課題】
【０００７】
　従って、本発明の目的は、
毛を強く着色すると同時に非常に高い光沢を毛にもたらす新規な直接染料
本発明の剤によりもたらされる着色の光沢は長続きし、複数回毛を洗った後も持続する。
【課題を解決するための手段】
【０００８】
　意外なことに、
特定のカチオン性アントラキノン誘導体
別のカチオン性染料
両性または双性イオン性界面活性剤
カチオン性ポリマー
毛を強く着色すると同時に毛に高光沢をもたらす
【０００９】
　それと同時に、そのような剤は、技術的適用性、堅牢度特性、毒性プロファイル、工業生産性および貯蔵安定性に関する、ケラチン繊維用着色剤に対する他の要求の全ても満たす。　」
・甲２ｃ）【００１５】〜【００２６】
「　【００１５】
　第一の重要な成分（ａ）として、本発明の剤は式（Ｉ）：
【化２】
［式中、Ｒ１、Ｒ２、Ｒ３は独立してＣ１〜Ｃ６アルキル基を意味し、
ｎは２〜８の整数を意味し、
Ａ−は生理学的に許容可能なアニオンを意味する］
で示される少なくとも１つのカチオン性アントラキノン誘導体を含有する。
　・・・
【００２３】
　特に強くて光沢のある着色は、本発明の剤において、式（Ｉ）で示されるカチオン性アントラキノン誘導体として化合物（Ｉａ）：
【化３】
［式中、Ａ−は、生理学的に許容可能なアニオン、好ましくは硫酸メチルイオン（H3COSO3−）または臭化物イオン、特に好ましくは臭化物イオンを意味する］
が使用される場合にもたらされ得る。
【００２４】
　Ａ−が臭化物イオンを意味する化合物（Ｉａ）は、
HC Blue 16
Bluequat B
Bluequat bromide
３−｛［９，１０−ジヒドロ−４−（メチルアミノ）−９，１０−ジオキソ−１−アントラセニル］アミノ｝−Ｎ，Ｎ−ジメチル−Ｎ−プロピル−１−プロパンアミニウムブロミド
【００２５】
　ケラチン繊維を染色するための本発明の剤は、
好ましくは、剤の総重量に基づいてそれぞれの場合に０．０００５重量％以上０．５重量％以下
【００２６】
　１つの特に好ましい態様では、本発明の剤は、剤の総重量に基づいてそれぞれの場合に
０．０００５〜０．５重量％、好ましくは０．０２〜０．４重量％、より好ましくは０．０５〜０．３重量％、特に好ましくは ０．１０〜０．３５重量％の総量
・甲２ｄ）【００２７】〜【００５０】
「　【００２７】
  第二の重要な成分として、本発明の剤は、
式（Ｉ）で示される化合物とは異なる少なくとも１つの更なるカチオン性直接染料（ｂ）
【００２８】
　このカチオン電荷は、第四級窒素原子に位置し得る。第四級窒素原子は４つの異なった有機基を有し、その結果、その窒素原子は正電荷を持つ。しかしながら、直接染料の窒素含有複素環にカチオン電荷が位置することも可能である。この複素環が発色団系の一部である場合は、直接染料の正電荷が発色団系全体にわたって非局在化されることもあり得る。最後に、カチオン性染料がカチオン性トリアリールメタン染料であることも可能であり、この場合、カチオン電荷はトリアリールメタン系において非局在化されている。
【００２９】
　特に強い着色は、本発明の剤が、式（Ｉ）で示される化合物とは異なる更なるカチオン性直接染料（ｂ）として下記群から選択される少なくとも１つの染料を含有する場合に、長期にわたる高光沢と共にもたらされ得る：ベーシックブルー７、ベーシックブルー２６、
ベーシックバイオレット２
ベーシックブラウン１６
ベーシックブラウン１７
ベーシックイエロー８７
ベーシックオレンジ３１
ベーシックレッド５１
【００３０】
　従って、別の特に好ましい態様は、式（Ｉ）で示される化合物とは異なる更なるカチオン性直接染料（ｂ）として下記群から選択される少なくとも１つの染料を含有することを特徴とする剤である：ベーシックブルー７、ベーシックブルー２６、ベーシックバイオレット２、ベーシックバイオレット１４、ベーシックイエロー５７、ベーシックレッド７６、ベーシックブルー９９、
ベーシックブラウン１６
ベーシックブラウン１７
　・・・
【００４７】
　特に好ましいカチオン性直接染料（ｂ）は下記化合物である。
【化４】
【００４８】
　式（Ｉ）で示される化合物とは異なるカチオン性直接染料は、本発明の剤に好ましい量的範囲で含まれる。この量は、高光沢を達成するのに十分多く、しかしながら、染料の過剰な使用濃度に関する欠点（例えば、皮膚の増大した変色、または起こり得る皮膚炎）を回避するのに十分少なく選択しなければならない。
【００４９】
　これらの必要条件は、本発明の剤が、式（Ｉ）で示される化合物とは異なる１つ以上のカチオン性直接染料（ｂ）を、剤の総重量に基づいてそれぞれの場合に０．０００５重量％以上０．５５重量％以下の総量で含有する場合に満たされる。
【００５０】
　別の特に好ましい態様では、本発明の剤は、式（Ｉ）で示される化合物とは異なる１つ以上のカチオン性直接染料（ｂ）を、剤の総重量に基づいて
それぞれの場合に０．０００５〜０．５５重量％、好ましくは０．００５〜０．４０重量％、より好ましくは０．０２５〜０．３０重量％、特に好ましくは０．０５〜０．２０重量％の総量
・甲２ｅ）【００５１】〜【０１０１】
「　【００５１】
　第三の重要な成分として、本発明の剤は少なくとも１つの両性および／または双性イオン性界面活性剤（ｃ）を含有する。
　・・・
【００７７】
　別の好ましい態様では、本発明の剤は、剤の総重量に基づいてそれぞれの場合に、０．１〜４．０重量％、好ましくは０．２〜２．５重量％、より好ましくは０．４〜１．８重量％、特に好ましくは ０．６〜０．９重量％の総量で１つ以上の両性および／または双性イオン性界面活性剤（ｃ）を含有することを特徴とする。
【００７８】
　第四の重要な成分として、本発明の剤は少なくとも１つのカチオン性ポリマー（ｄ）を含有する。
　・・・
【０１０１】
  従って、別の好ましい態様では、本発明の剤は、剤の総重量に基づいてそれぞれの場合に、０．１〜２．０重量％、好ましくは０．２〜１．３重量％、より好ましくは０．３〜０．９重量％、特に好ましくは０．４〜０．８重量％の総量で１つ以上のカチオン性ポリマー（ｄ）を含有することを特徴とする。　」
・甲２ｆ）【０１１８】〜【０１２０】
「　【０１１８】
  式（Ｉ）で示されるカチオン性アントラキノン染料および式（Ｉ）で示される化合物とは異なる更なるカチオン性染料（ｂ）に加えて、本発明の剤は、任意成分として、更なる非イオン性および／またはアニオン性直接染料を含有してよい。
【０１１９】
  好ましいアニオン性直接染料は、以下の国際的な名称または商品名で知られている化合物である：Acid Yellow 1、Yellow 10、Acid Yellow 23、Acid Yellow 36、Acid Orange 7、Acid Red 33、Acid Red 52、Pigment Red 57:1、Acid Blue 7、Acid Green 50、Acid Violet 43、Acid Black 1、Acid Black 52、ブロモフェノールブルーおよびテトラブロモフェノールブルー。
【０１２０】
  特に、非イオン性ニトロ染料およびキノン染料、並びに中性アゾ染料は、非イオン性直接染料として適している。好ましい非イオン性直接染料は、１，４−ジアミノ−２−ニトロベンゼン、２−アミノ−４−ニトロフェノール、１，４−ビス−（２−ヒドロキシエチル）アミノ−２−ニトロベンゼン、３−ニトロ−４−（２−ヒドロキシエチル）アミノフェノール、２−（２−ヒドロキシエチル）アミノ−４，６−ジニトロフェノール、４−［（２−ヒドロキシエチル）アミノ］−３−ニトロ−１−メチルベンゼン、１−アミノ−４−（２−ヒドロキシエチル）アミノ−５−クロロ−２−ニトロベンゼン、４−アミノ−３−ニトロフェノール、１−（２’−ウレイドエチル）アミノ−４−ニトロベンゼン、２−［（４−アミノ−２−ニトロフェニル）アミノ］安息香酸、４−［（３−ヒドロキシプロピル）アミノ］−３−ニトロフェノール、４−ニトロ−ｏ−フェニレンジアミン、６−ニトロ−１，２，３，４−テトラヒドロキノキサリン、２−ヒドロキシ−１，４−ナフトキノン、ピクラミン酸およびその塩、２−アミノ−６−クロロ−４−ニトロフェノール、４−エチルアミノ−３−ニトロ安息香酸および２−クロロ−６−エチルアミノ−４−ニトロフェノールに加えて、以下の国際的な名称または商品名で知られている化合物である：HC Yellow 2、HC Yellow 4、HC Yellow 5、HC Yellow 6、HC Yellow 12、HC Orange 1、Disperse Orange 3、HC Red 1、HC Red 3、HC Red 7、HC Red 10、HC Red 11、HC Red 13、HC Red BN、HC Blue 2、HC Blue 11、HC Blue 12、Disperse Blue 3、HC Violet 1、Disperse Violet 1、Disperse Violet 4およびDisperse Black 9。　」
・甲２ｇ）【０１５４】〜【０１６１】
「　【実施例】
【０１５４】
実施例：
　以下の組成物を調製した。量は、特に記載の無い限り、重量パーセントで使用活性物質についてそれぞれの場合に表されていると理解される。
【０１５５】
【表１】
【０１５６】
【表２】
【０１５７】
　ブロンドに染色した毛束（Kerling製、一般的なブロンド染料で１回染色したブロンド）の光沢を、適当な装置を用いて測定した。次いで、予め調製しておいた着色組成物を、測定した毛束（Kerling）に適用し（溶液比４：１、毛１ｇあたりクリーム４ｇ）、３０分間作用させた。続いて、毛束を濯いで乾かした。光沢装置で、乾かした毛束を再度測定
した。
【０１５８】
  光沢装置は、光吸収内層を備えた光沢チャンバーである。測定する毛束をシリンダーに固定し、光沢チャンバー中央に配置した。小さい開口部をシリンダー上方に配置することにより、照明光源として、毛束を照射する棒状ガス放電灯をシリンダー上に固定した。デジタルカメラを用いて各毛束の光沢曲線を測定し、画像分析により評価した。次いで、毛束（Ｌ）の光沢値を、以下のReich and Robbins式（１）に従って計算した。
　・・・
　（１）：C. ReichおよびC.C. Robbins, J. Soc. Cosmet. Chem. 44, 221-234（1993）
【０１５９】
  本発明の剤の適用前および適用後に測定した光沢を比べることにより、光沢の変化を評価した。光沢の変化が有意であるかどうかを計算するためには、統計的手法を用いた。
【０１６０】
  測定において、以下の光沢値を得た。光沢値が高いほど光沢が高いことを示している。
【０１６１】
【化１９】
　　　　　　　　　　　　　　　　　　　　　　　　　　　　　　」
（３）甲３
・甲３ａ）特許請求の範囲
「　【請求項１】
  カチオン性ポリマーの含有量が０．０１質量％未満であり、シリコーンの含有量が０．０１質量％未満である毛髪化粧料組成物であって、
（Ａ）ノニオン性ポリマー、（Ｂ）エステル油、及び
（Ｃ）直接染料
【請求項２】
  前記（Ｂ）エステル油は、水添ヒマシ油と脂肪酸とのエステルである請求項１に記載の毛髪化粧料組成物。
【請求項３】
  前記（Ｃ）直接染料は、Basic Red 51、
Basic Brown 16
HC Blue No.2
HC Yellow No.4
・甲３ｂ）【０００２】〜【０００７】
「　【０００２】
  一般に、ケラチン繊維の一種である毛髪を染色するための毛髪化粧料組成物として、直接染料を含有する染毛料組成物が知られている。直接染料を含有する染毛料組成物は、毛髪の表面付近のケラチンに直接染料が吸着することにより毛髪を染色する。従来より、特許文献１に開示されるようなシリコーンを配合する染毛料組成物が知られている。シリコーンは、毛髪の表面に付着し、コーティングする作用により、毛髪塗布時の塗布感等を向上させている。
【先行技術文献】
【特許文献】
【０００３】
【特許文献１】 特開２００５−１３９１５５号公報
【発明の概要】
【発明が解決しようとする課題】
【０００４】
　ところが、シリコーンの毛髪に対する高吸着力により、毛髪が重たく感じられる等の問題が生じていた。そこで、近年、
ノンシリコンタイプの毛髪化粧料組成物
シリコーンを配合しない代わりに、カチオン性ポリマーを配合することにより毛髪塗布時の塗布感を向上させている
【０００５】
　しかしながら、カチオン性ポリマーを配合するノンシリコンタイプの毛髪化粧料組成物を、直接染料を含有する染毛料組成物に適用した場合、
直接染料の種類によっては、製剤の安定性が低下することがあり、カチオン性ポリマーと直接染料を容易に併用することができない
【０００６】
　そこで、本発明の目的は、
直接染料を含有し、シリコーン及びカチオン性ポリマーを実質的に含まない毛髪化粧料組成物において、毛髪塗布時の塗布感を向上できる毛髪化粧料組成物
【課題を解決するための手段】
【０００７】
　本発明は、
直接染料を含有する毛髪化粧料組成物において、ノニオン性ポリマー及びエステル油を併用することにより、毛髪塗布時の塗布感を向上できる
基づくものである。尚、成分の含有量を示す質量％の数値は、水等の可溶化剤も含めた剤型中における数値である。　」
・甲３ｃ）【００１７】〜【００２５】
「　【００１７】
　
（Ｃ）直接染料
【００１８】
  酸性染料の具体例は、例えば赤色２号、・・・等が挙げられる。
【００１９】
　ニトロ染料の具体例は、例えば４−ニトロ−ｏ−フェニレンジアミン、２−ニトロ−ｐ−フェニレンジアミン、２−アミノ−４−ニトロフェノール、２−アミノ−５−ニトロフェノール、ピクラミン酸、ピクリン酸、及びそれらの塩、
HC Blue No.2
HC Yellow No.4
【００２０】
　
塩基性染料（カチオン染料）
Basic Blue 75
Basic Brown 16
Basic Brown 17
【００２１】
　分散染料の具体例は、例えばDisperse Black 9、・・・等が挙げられる。
　・・・
【００２３】
　これらの直接染料の中で、染毛力に優れ、地肌汚れが少ない観点から、Basic Red 51、
Basic Brown 16
HC Blue No.2
HC Yellow No.4
【００２４】
　毛髪化粧料組成物中における（Ｃ）
直接染料の含有量の下限は、適宜設定されるが、好ましくは０．００１質量％以上、より好ましくは０．０１質量％以上
染毛力をより向上させることができる
直接染料の含有量の上限は、適宜設定されるが、好ましくは３質量％以下、より好ましくは１質量％以下
直接染料の溶解性をより向上させることができる
地肌汚れをより少なくすることができる
【００２５】
　また、（Ｃ）直接染料の全含有量の合計に対する、Basic Red 51、
Basic Brown 16
HC Blue No.2
HC Yellow No.4
・甲３ｄ）【００６１】〜【００６３】
「　【００６１】
  ＜参考試験例１：毛髪化粧料組成物の地肌汚れの評価＞
　表２に示される各成分を混合して各参考例の毛髪化粧料組成物としての半永久染毛料組成物を調製した。得られた各半永久染毛料組成物について、下記の基準に従い、
地肌汚れについ
【００６２】
　
（地肌汚れ）
　各参考例の半永久染毛料組成物０．１ｇを腕内側部に直径１ｃｍの円形状に塗布し、２０分間放置した後、水洗した。このときの腕内側部をパネラー１０名が目視で観察することにより、各参考例の半永久染毛料組成物について地肌が汚れ難いか否かを判断した。地肌が汚れ難いと認められると応えたパネラーの人数が９人以上であった場合には「優れる：５」、７〜８人であった場合には「良好：４」、５〜６人であった場合には「可：３」、３〜４人であった場合には「やや不良：２」、２人以下であった場合には「不良：１」とする５段階の評価を下した。この評価結果を表２の“地肌汚れの評価”欄に示す。
【００６３】
【表２】
　表２に示されるように、直接染料としてBasic Red 51、
Basic Brown 16
HC Blue No.2
HC Yellow No.4
（４）甲４
・甲４ａ）特許請求の範囲
「　【請求項１】
下記の（Ａ）成分〜（Ｃ）成分を含有することを特徴とする染毛料組成物。
　（Ａ）海泥
　（Ｂ）カチオン性界面活性剤の１種以上
　（Ｃ）
塩基性染料の１種以上
【請求項２】
前記（Ｂ）成分がアルキルアミドアミン及びその塩から選ばれる１種以上であることを特徴とする請求項１に記載の染毛料組成物。
【請求項３】
前記（Ａ）成分の含有量が乾物量として０．０５〜１質量％の範囲内であることを特徴とする請求項１又は請求項２に記載の染毛料組成物。
【請求項４】
更に下記の（Ｄ）成分を含有することを特徴とする請求項１〜請求項３のいずれかに記載の染毛料組成物。
　（Ｄ）カチオン化ヒアルロン酸
【請求項５】
更に下記の（Ｅ）成分を含有することを特徴とする請求項１〜請求項４のいずれかに記載の染毛料組成物。
　（Ｅ）
ＨＣ染料
・甲４ｂ）【０００１】
「　【技術分野】
【０００１】
　本発明は染毛料組成物に関する。更に詳しくは本発明は、
直接染料として塩基性染料を用いたカラートリートメント
毛髪染着力を向上させる反面、地肌汚れを改善し、併せて処理後の毛髪感触も向上させる
・甲４ｃ）【０００２】〜【０００８】
「　【背景技術】
【０００２】
　染毛用の組成物は、通常、酸化染料を用いる酸化染毛剤等の永久染毛剤、
直接染料を用いるヘアマニキュア、カラートリートメント等の半永久染毛料
【０００３】
　半永久染毛料に用いる
直接染料
塩基性染料
ニトロ染料として分類できるＨＣ染料
　・・・
【発明が解決しようとする課題】
【０００５】
　しかし、
塩基性染料を用いたカラートリートメント
塩基性染料の染毛効果がやや低い
地肌汚れ（塩基性染料の皮膚への染着
染毛力の向上（染毛効果）と優れたコンディショニング効果を如何に両立させるか
コンディショニング効果を目的としてカチオン性界面活性剤を多量に配合すると、塩基性染料による染毛が阻害される恐れがある
【０００６】
　そこで本発明は、塩基性染料を用いたカラートリートメントにおける上記の第１、第２の問題を解消し、
塩基性染料の毛髪染着力を向上させる反面、地肌汚れを抑制し、併せて処理後の毛髪感触も向上させる染毛料組成物を提供すること
【０００７】
　このような課題の解決手段に関連して、近年、毛髪化粧料におけるコンディショニング用配合成分として、海泥と呼ばれる無機質のアニオン性微粒子も一部で注目されている。・・・
【０００８】
　本願発明者は、カラートリートメントに用いる直接染料としてカチオン性である
塩基性染料
カチオン性界面活性剤
更にコンディショニング用成分としてアニオン性である海泥を配合すると、カラートリートメントにおける上記の第１、第２の問題が解消され、塩基性染料の毛髪染着力向上、地肌汚れの抑制、及び毛髪感触の向上を実現できる染毛料組成物となる
・甲４ｄ）【００２８】〜【００３７】
「　【００２８】
　〔染毛料組成物の必須成分〕
　本発明の染毛料組成物は、必須成分として、（Ａ）成分：海泥、（Ｂ）成分：カチオン性界面活性剤の１種以上、及び（Ｃ）成分：塩基性染料の１種以上、を含有する。
【００２９】
　
（（Ａ）成分：海泥）
　（Ａ）成分である海泥とは、「海シルト」、「くちゃ」とも呼ばれる含硫ケイ酸アルミニウム質のアニオン性のシルトである。海泥は我が国の沖縄本島・中南部地域の海底から採掘される沈殿物であり、ミネラル成分を多く含んでいる。海泥は、その６０％が５μｍ以下の極めて細かい粒子からなり、粒度が高くザラツキを感じさせない無機質の微粒子であって、優れた電気的吸着性と、水洗で簡単に落とせると言う特性を持ち、ヘアトリートメントに配合した場合に優れたコンディショニング効果をもたらす。「海泥」としては、例えば原料海泥から特に微細な粒径部分を選別したものや、電気泳動等によりアニオン性のより明確な粒子部分を選別したもの等の、加工された海泥も含まれる。市販品としては、例えば、（株）アンコール・アン社の商標名「マリンシルトＦＰ」が挙げられる。
【００３０】
　染毛料組成物における海泥の含有量は限定されないが、乾物量（乾燥時質量）として０．０５〜１質量％の範囲内、特に０．１〜０．５質量％の範囲内であることが好ましい。
【００３１】
　
（（Ｂ）成分：カチオン性界面活性剤）
　（Ｂ）成分であるカチオン性界面活性剤としては、「第２発明の効果」として前記した理由から、アルキルアミドアミン型が特に好ましい。カチオン性界面活性剤としては、その他にも、
アルキルトリメチルアンモニウム塩
【００３２】
　アルキルアミドアミン型のカチオン性界面活性剤として、アルキルアミドアミン及びその塩が挙げられる。アルキルアミドアミンとは、カルボン酸(特に脂肪酸)と３級アミノアルキルアミンとのアミドである。具体的には、例えば、ステアリン酸ジエチルアミノエチルアミド、ベヘニン酸ジエチルアミノエチルアミド、パルミチン酸ジエチルアミノエチルアミド、ミリスチン酸ジエチルアミノエチルアミド等のアルキロイルアミドエチルジエチルアミンや、
ステアリン酸ジメチルアミノプロピルアミド
【００３３】
　アルキルアミドアミン型以外のカチオン性界面活性剤としては、具体的には、塩化セチルトリメチルアンモニウム、
塩化ステアリルトリメチルアンモニウム
【００３４】
　染毛料組成物におけるカチオン性界面活性剤の含有量は限定されないが、好ましくは１〜３質量％の範囲内である。含有量をこの範囲内とすることにより毛髪感触向上効果をより良好に確保でき、かつ、塩基性染料の毛髪への染着もより良好に確保できる。
【００３５】
　
（（Ｃ）成分：塩基性染料）
　（Ｃ）成分である塩基性染料の種類は限定されず、Basic Blue 3、Basic Blue 6、Basic Blue 7、Basic Blue 9、Basic Blue 26、Basic Blue 41、Basic Blue 47、
Basic Blue 75
Basic Brown 16
Basic Brown 17
【００３６】
　染毛料組成物における塩基性染料の含有量は限定されないが、
好ましくは０．１〜０．３質量％の範囲内
０．３質量％を超えると、幾分、皮膚への染着による地肌汚れが生じる恐れがある
【００３７】
　（水）
　なお、染毛料組成物は、その製剤上、実際には水を必要とする。　」
・甲４ｅ）【００３８】〜【００６７】
「　【００３８】
　〔染毛料組成物におけるその他の成分〕
　本発明の染毛料組成物は、以上の必須成分の他に、以下の成分を好ましく含有することができ、あるいは任意に含有することができる。以下に述べる各成分について、染毛料組成物中におけるその配合量を特に記載しないものについては、必要に応じて適宜に配合量が決定される。
【００３９】
　
（塩基性染料以外の染料）
　塩基性染料以外の染料として、各種の直接染料を塩基性染料と組み合わせて配合しても良い。但し、酸性染料は好ましくなく、含有するとしても本発明の効果を妨げない程度の配合量に制限して含有することが好ましい。好ましい直接染料として、天然染料、ニトロ染料、分散染料等が挙げられる。特に「第５発明の効果」の欄で述べた理由から、
ニトロ染料の一種であるＨＣ染料
好ましくは、ＨＣ染料は、染毛料組成物中に０．２〜１．２質量％の範囲内
【００４０】
　天然染料としては、クチナシ色素、・・・等を例示できる。
【００４１】
　ニトロ染料としては、４−ニトロ−ｏ−フェニレンジアミン、・・・及びそれらの塩を例示できる。
【００４２】
　又、
ＨＣ染料
HC Blue No.2
HC Yellow No.2
HC Yellow No.4
【００４３】
　分散染料としては、Disperse Black 9、・・・等を例示できる。
【００４４】
　（カチオン性界面活性剤以外の界面活性剤）
　カチオン性界面活性剤以外の界面活性剤を、カチオン性界面活性剤と組み合わせて配合しても良い。但し、アニオン性界面活性剤は好ましくなく、含有するとしても本発明の効果を妨げない程度の配合量に制限して含有することが好ましい。従って両性イオン性界面活性剤と非イオン性界面活性剤が好ましい。
　・・・
【００５０】
　（油性成分）
　油性成分として、油脂、ロウ、炭化水素、アルキルグリセリルエーテル、エステル、シリコーン、高級アルコール等が挙げられる。これらの１種又は２種以上を使用することができる。これらの油性成分の内、２５℃、１気圧下で液状のエステルや、高級アルコールは特に好ましい。
　・・・
【００５８】
　（水溶性ポリマー）
　各種の水溶性ポリマーを配合することができる。但し、アニオン性ポリマーは好ましくなく、含有するとしても本発明の効果を妨げない程度の配合量に制限して含有することが好ましい。これらの水溶性ポリマーとして、カチオン性ポリマー、両性ポリマー、各種の天然系ポリマーが好ましい。
　・・・
【００６７】
　（その他の成分）
　本発明の染毛料組成物は、以上の各成分の他にも、例えば、溶剤、増粘剤、酸性アミノ酸を除くアミノ酸類、ソルビトール、マルトース等の糖類、パラベン、安息香酸ナトリウム等の防腐成分、ＥＤＴＡ−２Ｎａ、ジエチレントリアミン５酢酸、ヒドロキシエタンジホスホン酸等のキレート成分、フェナセチン、８−ヒドロキシキノリン、アセトアニリド、フェノキシエタノール、ピロリン酸ナトリウム、バルビツール酸、尿酸、タンニン酸等の安定成分、ｐＨ調整成分、亜硫酸Ｎａ等の酸化防止剤、植物又は生薬抽出物、アスコルビン酸類を含むビタミン類、香料、等から選ばれる１種以上を配合しても良い。また、例えば、「医薬部外品原料規格２００６」（薬事日報社）に収載されるものから選ばれる少なくとも一種を配合してもよい。　」
・甲４ｆ）【００６８】〜【００７８】
「　【実施例】
【００６８】
　次に本発明の実施例及び比較例を説明する。本発明の技術的範囲は以下の実施例及び比較例によって限定されない。
【００６９】
　〔染毛料組成物の調製〕
  後述の表１〜表３に示す実施例１〜２７及び表４に示す比較例１〜５に係る組成の１剤式の染毛料組成物を、それぞれ常法に従いクリーム状の乳化剤として調製した。なお、比較例２は乳化できなかったため、後述の評価を行っていない。
【００７０】
　表１〜表４において、各成分の含有量を示す数値は質量％単位の表記である。又、「精製水」について「残量」と表記しているのは、「各成分の合計含有量が１００質量％となるような量（いわゆるquantum sufficit）」の意味である。次に、染毛料組成物におけるそれぞれ（Ａ）成分〜（Ｅ）成分の各成分に該当するものについては、表１〜表４の成分名の欄の左側欄外にそれぞれ、「Ａ」〜「Ｅ」と付記した。「Ａ」である海泥としては、（株）アンコール・アン社の商標名「マリンシルトＦＰ」を用いた。
【００７１】
　〔染毛料組成物の評価〕
  以上のように調製した各実施例、各比較例に係る染毛料組成物を用いて、それぞれ以下の評価を行った。
　
（地肌汚れ）
　各実施例、各比較例に係る染毛料組成物１ｇをそれぞれ、腕の内側部における直径１ｃｍの円形のエリアに塗布し、１０分間放置した後、温水で洗い流した。次に、石鹸を使用して指で１分間軽く擦り、温水で洗い流した。
【００７２】
　以上の処理の後、１０名のパネラーが地肌汚れ（皮膚への染着の度合い）を目視にて観
察し、地肌汚れが非常に少ない（４点）、地肌汚れが少ない（３点）、地肌汚れがやや多い（２点）、地肌汚れが多い（１点）、の４段階で評価した。各パネラーの採点結果の平均値を算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「地肌汚れ」の欄に示す。
【００７３】
　
（染毛直後の染毛力）
  各実施例、各比較例に係る染毛料組成物１ｇをそれぞれ白髪混じりの人毛毛束１ｇに塗布し、１０分間放置後に水洗することにより、人毛毛束に対する染毛処理を完了した。
【００７４】
　上記染毛処理の完了の直後に１０名のパネラーが人毛毛束の染色の程度を目視にて観察し、非常に優れる（５点）、優れる（４点）、やや優れる（３点）、やや悪い（２点）、悪い（１点）、の５段階で評価した。各パネラーの採点結果の平均値を少数点第１位で四捨五入して、各例の評価点を算出した。その評価結果を各表の「染毛直後染毛力」の欄に示す。
【００７５】
　
（連用染毛後の染毛力）
　上記「染毛直後の染毛力」の項に述べた染毛処理を行った各実施例、各比較例に係る人毛毛束に対し、更にシャンプー後に染毛処理を行った後、人毛毛束をヘアドライヤーで乾燥させるというサイクルを４回繰り返すことにより、人毛毛束に対する連用の染毛処理を完了した。
【００７６】
　上記した連用染毛処理の完了の直後に１０名のパネラーが人毛毛束の染色の程度を目視にて観察し、非常に優れる（５点）、優れる（４点）、やや優れる（３点）、やや悪い（２点）、悪い（１点）、の５段階で評価した。各パネラーの採点結果の平均値を少数点第１位で四捨五入して、各例の評価点を算出した。その評価結果を各表の「染毛直後染毛力」の欄に示す。
【００７７】
　
（ドライ時の毛髪へのハリ・コシの付与）
  上記の「染毛直後の染毛力」の項に述べた染毛処理を完了した人毛毛束をヘアドライヤーで乾燥させた後、１０名のパネラーが人毛毛束へのハリ・コシの付与の度合いを手触りにより評価し、非常に良好である（４点）、良好である（３点）、やや悪い（２点）、悪い（１点）、の４段階で評価した。各パネラーの採点結果の平均値を少数点第１位まで算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「ドライ時の毛髪へのハリ・コシの付与」の欄に示す。
【００７８】
　
（ドライ時の毛髪への滑らかさの付与）
  上記の「染毛直後の染毛力」の項に述べた染毛処理を完了した人毛毛束をヘアドライヤーで乾燥させた後、１０名のパネラーが人毛毛束への滑らかさの付与の度合いを手触りにより評価し、非常に良好である（４点）、良好である（３点）、やや悪い（２点）、悪い（１点）、の４段階で評価した。各パネラーの採点結果の平均値を少数点第１位まで算出し、平均値が３．６点以上であれば「◎」、平均値が２．６点以上で３．５点以下であれば「○」、平均値が１．６点以上で２．５点以下であれば「△」、平均値が１．５点以下であれば「×」と評価した。評価結果を各表の「ドライ時の毛髪への滑らかさの付与」の欄に示す。　」
・甲４ｇ）【００７９】〜【００８２】
「　【００７９】
【表１】
【００８０】
【表２】
【００８１】
【表３】
【００８２】
【表４】
　　　　　　　　　　　　　　　　　　　　　　　　　　　　　」
（５）甲５
・甲５ａ）特許請求の範囲
「　【請求項１】
　
アルカリ剤を含む第１剤と、酸化剤を含む第２剤とを混合する酸化染毛剤
【請求項２】
　前記第１剤及び／又は第２剤中に、バイコンティニュアスミクロエマルション相又はラメラ液晶相を形成する下記成分（ａ）〜（ｃ）を含有することを特徴とする請求項１記載の酸化染毛剤。
（ａ）イオン性界面活性剤
（ｂ）（無機性値／有機性値）比の値が０．８〜１．５の範囲内である両親媒性物質
（ｃ）水
【請求項３】
　前記第１剤及び／又は第２剤中に、バイコンティニュアスミクロエマルション相又はラメラ液晶相を形成する下記成分（ｄ）〜（ｆ）を含有することを特徴とする請求項１記載の酸化染毛剤。
（ｄ）非イオン性界面活性剤
（ｅ）油分
（ｆ）水
　・・・　」
・甲５ｂ）【０００１】
「　【技術分野】
【０００１】
　本発明は酸化染毛剤に関する。更に詳しくは、基剤にバイコンティニュアスミクロエマルション相又はラメラ液晶相を含有させることによって、ダメージを受けた毛髪（染毛剤、パーマ剤などの化学的な損傷、摩擦などの物理的な損傷を受けた毛髪）と、ダメージを受けていない健常毛髪の両方に対して、優れた染色性を有する酸化染毛剤に関する。　」
・甲５ｃ）【０００５】
「　【０００５】
　毛髪の表面を覆うキューティクルは、疎水性の物質を主成分として構成され、毛髪内部の領域を保護して毛髪を健康な状態に保つ役割を果たしている。ところが、毛髪は、化学的な影響、例えば染毛処理及び脱色処理、並びに物理的な影響、例えば紫外線、摩擦および熱などによりダメージを受けていることが多い。
ダメージを受けた毛髪は、疎水性を有するキューティクルが部分的に失われている。
キューティクルの損失は
特に化学的な影響及び物理的な影響を繰り返し受けた毛先付近において多く発生している
【０００６】
　このように、
染毛剤、パーマ剤などの化学的な損傷、摩擦などの物理的な損傷を受けた毛髪（ダメージ毛髪）は親水的である（油をはじきやすい）
同一の染毛剤を使用した場合でも、ダメージ毛髪である毛先付近と健常毛髪である根元部分とで仕上がりの髪色が異なったり、毛髪保護を目的として染毛剤中に配合された水性または油性トリートメント成分がその効果を十分に発揮できずに仕上がり感触が異なったりする場合がある
（６）甲６
・甲６ａ）特許請求の範囲
「　【請求項１】
　毛髪の表面に付着した
塩基性染料
　浸透性染料が内部に浸透した前記毛髪の表面をコーティング被膜するコーティング膜形成剤と、
　植物エキスを含有することを特徴とする染毛料。
【請求項２】
　前記植物エキスは、加水分解コンキオリン、オウゴンエキス、アルテア根エキス、カンゾウ根エキスであることを特徴とする請求項１に記載の染毛料。　」
・甲６ｂ）【０００２】〜【００１３】
「　【背景技術】
【０００２】
　従来、染毛剤と比べて毛髪へのダメージが少なく、
ＨＣ染料又は塩基性染料を併用した染毛料
　
ＨＣ染料は、分子径が小さくキューティクルの隙間から毛髪の内部に浸透して分子間力（ファンデルワールス力）により着色する染料である。
【０００３】
　一方、
塩基性染料（イオン性染料）は分子量が大きく、ＨＣ染料のように、キューティクルの隙間から毛髪の内部に浸透することができない
塩基性染料は、毛髪を中性からアルカリ性の状態にしてマイナスイオンになった状態の毛髪に対して、プラスイオンで毛髪の表面にイオン結合で着色する染料である。
　・・・
【発明の概要】
【発明が解決しようとする課題】
【０００５】
　しかしながら、
ＨＣ染料は、イオン性染料のように毛髪とイオン結合せず、分子間力のみで着色しているため、結合力が極めて弱く、洗髪等により毛髪の内部から外部へ流れ出やすく、イオン性染料と比べると色落ちしやすく色持ちが悪い
【０００６】
　また、
塩基性染料は、前述のように毛髪がアルカリ性の状態で毛髪の表面にイオン結合するものであるが、従来の毛髪をマイナスイオンの状態にするカチオン性の配合成分では、塩基性染料との間のイオン結合の結合力が弱く、色付きが悪い
【０００７】
　さらに、
毛髪に着色したＨＣ染料又は塩基性染料は、紫外線により色素が劣化しやすく、色落ちの原因となっていた
【０００８】
　上記従来技術の問題点に鑑み、本発明は染料の色落ちを低減して染毛の色持ちを長期間維持することができる染毛料を提供することを目的としている。
【課題を解決するための手段】
【０００９】
　上記の課題を解決するための第１の手段として、
毛髪の表面に付着した塩基性染料の密着性を高める４級アンモニウム塩の共重合体
浸透性染料が内部に浸透した前記毛髪の表面をコーティング被膜するコーティング膜形成剤
植物エキス
とする染毛料を提供することにある。
【００１０】
　上記の課題を解決するための第２の手段として、前記第１の手段において、前記植物エキスは、加水分解コンキオリン、オウゴンエキス、アルテア根エキス、カンゾウ根エキスであることを特徴とする染毛料を提供することにある。
【発明の効果】
【００１１】
　上記のような本発明によれば、
浸透性染料と塩基性染料が付着した染毛の表面を覆うコーティング膜を形成しているので、塩基性染料と比べて結合が弱い浸透性染料の色落ちを低減して、毛髪の色持ちを長期間維持することができる
【００１２】
　また
４級アンモニウム塩の共重合体を用いているため、イオン結合による塩基性染料と毛髪の密着性を高めて、色素の色付きを良くすることができる
【００１３】
　加水分解コンキオリン、オウゴンエキス、アルテア根エキス、カンゾウ根エキスの植物エキスを用いているため、毛髪に着色した色素の紫外線による劣化を低減して、染料の色持ちを長時間維持することができる。　」
・甲６ｃ）【００１８】〜【００１９】
「　【００１８】
　本実施形態に係る着色剤は、
物理吸着により染着する浸透性染料
化学吸着により染着する塩基性染料
　
浸透性染料となるＨＣ染料
ＨＣ青２
ＨＣ黄４
【００１９】
　
塩基性染料となるイオン性色素
塩基性茶１６
・甲６ｄ）【００２７】
「　【００２７】
　本発明の染毛料を毛髪に塗布すると、
分子径の小さいＨＣ染料２０は、毛髪のキューティクル１６の隙間から毛髪の内部に浸透して分子間力によって付着して染着する
　また、
塩基性染料３０は、毛髪を中性からアルカリ性の状態にしてマイナスイオンになった状態の毛髪に対して、プラスイオンで毛髪の表面にイオン結合で着色する
４級アンモニウム塩の共重合体によって、塩基性染料がプラスイオンを帯び、４級アンモニウム塩の共重合体の塩基性によって毛髪がマイナスイオンになっている状態のときにイオン結合し易くなり、塩基性染料と毛髪の密着性を高めることができる
２．申立理由１，２についての判断
２−１．申立理由１について
（１）甲１に記載された発明
　摘記甲１ａの請求項１によれば、甲１には、次の発明：
「　下記の４種の染料：
　　・塩基性青７５（Basic Blue 75）
　　・塩基性茶１６（Basic Brown 16）及び塩基性茶１７（Basic Brown 17）から選ばれる１種以上
　　・ＨＣ青２（HC Blue No.2）
　　・ＨＣ黄４（HC Yellow No.4）
を含有し、ｐＨが４〜６の範囲内であることを特徴とする染毛料組成物。」
（以下、「甲１発明」ということがある）が記載されているものと認められる。
（２）対比・判断
（２−１）特許発明１について
ア　特許発明１と甲１発明とを対比するに、
　・甲１発明の「塩基性茶１６（Basic Brown 16）及び塩基性茶１７（Basic Brown 17）から選ばれる１種以上」は、特許発明１の「成分Ｂ：塩基性茶１６及び塩基性茶１７からなる群より選ばれる１以上の染料」に相当すること；
　・甲１発明の「ＨＣ青２（HC Blue No.2）」は、特許発明１の「成分Ｄ：ＨＣ青２」に相当すること；
　・甲１発明の「ＨＣ黄４（HC Yellow No.4）」は、特許発明１の「成分Ｃ：ＨＣ黄４及びＨＣ黄２からなる群より選ばれる１以上の染料」中の「ＨＣ黄４」に相当すること；
　・甲１発明には、「塩基性青７５（Basic Blue 75）」を含むことや「ｐＨが４〜６の範囲内であること」の規定があるが、特許発明１ではそのような「（Ａ）塩基性青７５（Basic Blue 75）」を含む染毛料組成物の態様やｐＨ４〜６の範囲内のものである染毛料組成物の態様を特段除外するものではないから、これらの点は相違点とはならないこと；
を併せ踏まえると、両者は
　「　下記成分Ｂ、下記成分Ｃ、及び下記成分Ｄ：
    成分Ｂ：塩基性茶１６及び塩基性茶１７からなる群より選ばれる１以上の染料
 　 成分Ｃ：ＨＣ黄４及びＨＣ黄２からなる群より選ばれる１以上の染料
  　成分Ｄ：ＨＣ青２
を含有する、染毛料組成物　」
の点で一致するが、次の点（以下、単に「相違点１」ということがある）において相違する。
　［相違点１］：
　　特許発明１が、次の［要件１］及び［要件２］：
　　［要件１］ 「前記成分Ｂの含有量が０．０５〜１．０質量％であり、
  　　　　　　前記成分Ｃの含有量が０．０１〜０．５質量％であり、
  　　　　　　前記成分Ｄの含有量が０．１〜１．５質量％であり、」
　　　　　かつ、これら成分Ｂ〜成分Ｄと共に、
　　　　　　「成分Ａ：ＨＣ青１６」を「０．５〜３．０質量％」の含有量で含む
　　［要件２］　［要件１］の「成分Ａ」〜「成分Ｄ」において
　　　　　　　「　［｛（成分Ａの含有量）＋（成分Ｂの含有量）｝
　　　　　　　　　／｛（成分Ｃの含有量）＋（成分Ｄの含有量）｝］
　　　　　　　　が０．１〜５．０である　」
　を共に満たすものである　のに対し、
　　甲１発明には、上記［要件１］及び［要件２］を共に満たすことの限定はない　点
イ　以下、上記相違点１について検討する。
（ア）　まず、相違点１の［要件１］について検討する。
ａ（ａ）　甲１には、甲１発明において、
　・塩基性青７５の含有量を好ましくは０．５質量％以下とすること（甲１ａの請求項２及び甲１ｄの【００２５】）や、例えば０．０１〜０．６質量％の範囲内とすること（甲１ｇの実施例１〜１６）；
　・塩基性茶１６又は塩基性茶１７（特許発明１における「成分Ｂ」相当成分）の含有量を好ましくは０．０１〜０．５質量％の範囲内とすること（甲１ａの請求項２及び甲１ｄの【００２８】）や、例えば０．１〜１質量％とすること（甲１ｇの実施例１〜１６）；
　・ＨＣ黄４（特許発明１における「成分Ｃ」相当成分）の含有量を好ましくは０．０１〜０．５質量％の範囲内とすること（甲１ａの請求項２及び甲１ｄの【００３２】、甲１ｇの実施例１〜１６）；
　・ＨＣ青２（特許発明１における「成分Ｄ」相当成分）の含有量を好ましくは０．０１〜１．０質量％の範囲内とすること（甲１ａの請求項２及び甲１ｄの【００３０】や、例えば０．１〜１．５質量％とすること（甲１ｇの実施例１〜１６）；
　・上記塩基性茶１６又は塩基性茶１７、ＨＣ黄４、ＨＣ青２、及び塩基性青７５以外にも、他の塩基性染料、ＨＣ染料又はその他の各種染料をも含有し得ること（甲１ｅ【００５０】〜【００５８】）；
が、併せて記載されてはいる。
　（ｂ）　しかしながら、甲１には、甲１発明において、
　　塩基性茶１６又は塩基性茶１７の含有量を０．０５〜１．０質量％、　　　ＨＣ黄４の含有量を０．０１〜０．５質量％、
  　ＨＣ青２の含有量を０．１〜１．５質量％
とし、かつ、
　　塩基性青７５
に加えて
の具体的記載乃至示唆はない。
　一方、甲１では、甲１発明において配合される染料成分及びその配合割合に関し、
　・塩基性染料の配合量を多くして染毛力を高めようとすると、塩基性染料の皮膚への染着（地肌汚れ）が懸念されること（甲１ｂ【０００６】）；
　・塩基性染料に
ＨＣ染料を組み合わせる
塩基性染料の過剰配合が回避され、塩基性染料の過剰配合に起因する地肌汚れを抑制し得る
及び
　・塩基性染料７５は、青色系の塩基性染料として通常用いられる塩基性青９９に比して色落ちし難く変色も起こし難いこと（甲１ｃ【００１４】）；
を踏まえた上で、甲１発明において、
　　
塩基性青７５の含有量を　≦０．５質量％　とし、
　　
塩基性茶１６又は塩基性茶１７の含有量を　≦０．５質量％　とし、
　　ＨＣ黄４の含有量を　≦０．５質量％　とし、
　　ＨＣ青２の含有量を　≦１．０質量％　とする
と共に、
　　
塩基性染料の合計含有量T BasicとＨＣ染料（Ｃ）、（Ｄ）の合計含有量T HCとの質量比T Basic／T HCを１．５以下とする
こと
により
塩基性染料やＨＣ染料の皮膚への染着（地肌汚れ）がさらに良好に抑制され
　実際、甲１発明の「実施例」として記載されている甲１の表１〜表２（甲１ｇ）の各「実施例」の染毛料組成物の中でも、
塩基性青７５の含有量が０．１〜０．６質量％と比較的多く、及び／又は、T Basic／T HC  の比が１．５超である、実施例１〜８の組成物に比して、塩基性青７５の含有量が０．０１〜０．０５質量％と比較的少なく、かつ、T Basic／T HC  の比が１．５未満である実施例９〜１６の組成物の方が
のみならず、「地肌汚れ」（の抑制）及び「染毛力」についても優れる
T Basic／T HC
　そして、これらの甲１の記載を併せみた当業者にしてみれば、甲１発明に対し、他の青系の塩基性染料である例えばＨＣ青１６（例えば特許明細書の【００１９】や甲２（甲２ａ〜甲２ｃ）におけるＨＣ青１６に関する記載等からみて、ＨＣ青１６は塩基性（カチオン性）染料に該当するものと認められる）を０．５質量％以上追加配合することで、塩基性染料の過剰配合となり（また、それに応じてT Basic／T HC  の比も大きくなり）、少なくとも「地肌汚れ」の抑制性において甲１の実施例１〜８の各染毛料組成物よりむしろ好ましくない結果が得られる可能性が高まる、ということはできるとしても、実施例９〜１６よりさらに好ましい結果をもたらすことを企図して、甲１発明に対し上記塩基性染料ＨＣ青１６を０．５質量％以上追加配合することを、これらの甲１の記載に基づいて容易に想到し得た、ということはできない。
（ｃ）　さらに、甲１によれば、塩基性青７５は、塩基性茶１６及び／又は塩基性茶１７（成分Ｂ相当）、ＨＣ青２（成分Ｄ相当）及びＨＣ黄４（成分Ｃ相当成分）と共に、甲１発明における「必須成分」（甲１ｄ【００２３】）であることから、青色の塩基性染料という点において塩基性青７５と共通するとはいえ、甲１発明における塩基性青７５
に代えて
（ｄ）　そうすると、当業者であっても、甲１発明において、より十分な染色性を付与すると共に地肌汚れ（皮膚への染着）の抑制性をより向上せしめることを企図して、塩基性青７５と共に含まれる各種染料中の塩基性茶１６又は塩基性茶１７の含有量を０．０５〜１．０質量％、ＨＣ黄４の含有量を０．０１〜０．５質量％、ＨＣ青２の含有量を０．１〜１．５質量％とし、かつ、さらに塩基性染料であるＨＣ青１６を併せて配合せしめること、並びに、その際のＨＣ１６青の含有量を０．５質量％以上〜３．０質量％とすることが、甲１の記載を以て動機付けられ得たということはできない。
ｂ　（ａ）　また、甲２〜甲６について、
　・甲２には、「（ａ）式（Ｉ）のカチオン性アントラキノン誘導体」であるカチオン性直接染料、「（ｂ）式（Ｉ）とは異なる少なくとも１つの更なるカチオン性直接染料」と共に「（ｃ）少なくとも１つの両性および／または双性イオン性界面活性剤」、及び「（ｄ）少なくとも１つのカチオン性ポリマー」を含む、ケラチン繊維を染色するための剤（甲２ａ請求項１）であって、ヒトの毛髪に対し強い着色性と共に長期にわたる高い光沢性をもたらす直接染料（甲２ｂ【０００５】、【０００７】）について記載されており、上記成分（ａ）としてカチオン性（塩基性）のＨＣ青１６（「BluequatB」）を０．０００５〜０．５重量％の配合割合で（甲２ａ、甲２ｃ）、成分（ｂ）としてベーシックレッド５１、へーシックイエロー８７、ベーシックオレンジ３１、ベーシックバイオレット２のいずれか１種以上０．０００５〜０．５５重量％（甲２ａ、甲２ｄ）と共に成分（ｃ）、（ｄ）と併せ配合してなる組成物（甲２ｇ表２のＥ１〜Ｅ４）が、「BluequatB」を含有しない組成物（甲２ｇ表１のＶ１〜Ｖ４）に比して光沢性が高いことを示す試験結果（甲２ｇ【０１６１】）等も記載されている。
　しかしながら、甲２には、毛髪に対し十分な染色性をもたらすと共に皮膚への染着性が抑制された染毛料組成物を得ることを企図して、ＨＣ青１６を０．５〜３．０質量％の含有量で、０．０５〜１．０質量％の塩基性茶１６又は塩基性茶１７、０．０１〜０．５質量％のＨＣ黄４、及び０．１〜１．５質量％のＨＣ青２と共に配合してなる染毛料組成物を得ることを動機付ける記載乃至示唆は認められない。
　・甲３には、「カチオン性ポリマーの含有量が０．０１質量％未満であり、シリコーンの含有量が０．０１質量％未満である毛髪化粧料組成物であって、　（Ａ）ノニオン性ポリマー、（Ｂ）エステル油、及び（Ｃ）直接染料を含有する毛髪化粧料組成物」（甲３ａ請求項１）であって、シリコーン及びカチオン性ポリマーを実質的に含まない直接染料含有毛髪化粧料組成物において、ノニオン性ポリマー及びエステル油を併用することで毛髪塗布時の塗布感を向上せしめた毛髪化粧料組成物について記載されており（甲３ａ、甲３ｂ）、直接染料として各種ＨＣ染料や塩基性染料を用い得ること（甲３ｃ【００１９】〜【００２０】）と共に、「参考処方例」として、ノニオン性ポリマー（ヒドロキシエチルセルロース）、エステル油（イソステアリン酸硬化ヒマシ油）、及び直接染料としてＢａｓｉｃ　Ｒｅｄ　５１、Ｂａｓｉｃ　Ｂｒｏｗｎ　１６（塩基性茶１６）、ＨＣ　Ｂｌｕｅ　Ｎｏ．２（ＨＣ青２）、ＨＣ　Ｙｅｌｌｏｗ　Ｎｏ．４（ＨＣ黄４）、Ｂａｓｉｃ　Ｂｌｕｅ７５（塩基性青７５）のいずれか１種以上を配合した組成物（参考例１〜参考例４）について、Ｂａｓｉｃ　Ｂｌｕｅ７５（塩基性青７５）をＢａｓｉｃ　Ｒｅｄ　５１又はＨＣ　Ｙｅｌｌｏｗ　Ｎｏ．４（ＨＣ黄４）と組み合わせて配合してなるもの（参考例３又は４）に比して、Ｂａｓｉｃ　Ｒｅｄ　５１、Ｂａｓｉｃ　Ｂｒｏｗｎ　１６（塩基性茶１６）及びＨＣ　Ｙｅｌｌｏｗ　Ｎｏ．４（ＨＣ黄４）を組み合わせて配合してなるもの（参考例１）や、ＨＣ　Ｂｌｕｅ　Ｎｏ．２（ＨＣ青２）を単独で配合してなるもの（参考例２）の方が、地肌汚れ（の抑制性）において優れていることを示す試験結果（甲３ｄ）等も記載されている。
　しかしながら、甲３には、直接染料として塩基性染料であるＨＣ青１６を用いることの具体的な記載乃至示唆は見当たらないし、ましてや、塩基性青７５を配合する甲１発明のような染毛料組成物に対し、毛髪に対しさらに十分な染色性をもたらすと共に皮膚への染着性が一層抑制された染毛料組成物を得ることを企図して、塩基性青７５に加えて（又は代えて）、さらにＨＣ青１６を０．５〜３．０質量％の含有量で、０．０５〜１．０質量％の塩基性茶１６又は塩基性茶１７、０．０１〜０．５質量％のＨＣ黄４の含有量、及び０．１〜１．５質量％のＨＣ青２と共に配合してなる染毛料組成物とすることを動機付ける記載乃至示唆は認められない。
　・甲４には、次の３種の成分：海泥、カチオン性界面活性剤の１種以上、及び塩基性染料の１種以上　を含有することを特徴とする染毛料組成物や、さらにＨＣ染料を含有する染毛料組成物（甲４ａ請求項１、５）について記載されており、塩基性染料及びカチオン性界面活性剤を用いたカラートリートメントにおいてさらに海泥を併せて配合することにより、塩基性染料の毛髪染着力を向上させつつ地肌汚れを抑制し、併せて処理後の毛髪感触等をも向上させ得ること（甲４ｂ〜甲４ｃ）と共に、当該染毛料組成物の例として、塩基性染料であるBasic Blue 75（塩基性青７５）０．０２質量％　及びBasic Brown 16（塩基性茶１６）０．２質量％　と共に、HC Blue No.2（ＨＣ青２）０．５質量％　及びHC Yellow No.4（ＨＣ黄４）０．０５質量％　を併せ含む各種染毛料組成物（甲４ｆ表３中の実施例２３〜２５、２７）等が記載されている。
　しかしながら、甲４には、塩基性染料としてＨＣ青１６を用いることの具体的な記載乃至示唆は見当たらないし、ましてや、上記実施例２３〜２５、２７のような組成物において、毛髪に対しさらに十分な染色性をもたらすと共に皮膚への染着性が一層抑制された染毛料組成物を得ることを企図して、Ｂａｓｉｃ　Ｂｌｕｅ７５（塩基性青７５）に加えて（又は代えて）、さらにＨＣ青１６を０．５〜３．０質量％の含有量で配合することを動機付ける記載乃至示唆は認められない。
　・甲５には、「アルカリ剤を含む第１剤と、酸化剤を含む第２剤とを混合する酸化染毛剤において、前記第１剤と第２剤とを混合した直後に、バイコンティニュアスミクロエマルション相又はラメラ液晶相を含有することを特徴とする酸化染毛剤」（甲５ａ請求項１）について記載されており、併せて、ダメージを受けた毛髪においてはキューティクルが部分的に失われていることにより、同一の染毛剤を使用した場合でもダメージ部分を有する毛先付近と健常毛髪である根元部分とで仕上がりの髪色が異なる場合があること等が記載されている。
　また、甲６には、「毛髪の表面に付着した塩基性染料の密着性を高める４級アンモニウム塩の共重合体と、　浸透性染料が内部に浸透した前記毛髪の表面をコーティング被膜するコーティング膜形成剤と、　植物エキスを含有することを特徴とする染毛料」（甲６ａ請求項１）について記載されており、併せて、ＨＣ染料は、分子径が小さくキューティクルの隙間から毛髪の内部に浸透して分子間力（ファンデルワールス力）により着色する染料である一方、塩基性染料（イオン性染料）は分子量が大きく、ＨＣ染料のようにキューティクルの隙間から毛髪の内部に浸透することができないが、毛髪を中性からアルカリ性の状態にしてマイナスイオンになった状態の毛髪に対して毛髪の表面にイオン結合で着色する染料であること（甲６ｂ【０００２】〜【０００３】、甲６ｃ、甲６ｄ）等が記載されている。
　しかしながら、そもそも甲５は、アルカリ剤を含む第１剤と酸化剤を含む第２剤とを混合して用いる二剤型の酸化染毛剤であって、塩基性染料及びＨＣ染料を直接染料として用いる染毛料組成物に関するものではない（甲５ａ請求項１）。また、これら甲５、甲６にも、塩基性染料としてＨＣ青１６を用いることの具体的な記載乃至示唆は見当たらないし、ましてや、より十分な染色性を付与すると共に地肌汚れ（皮膚への染着）の抑制性をより向上せしめることを企図して、塩基性茶１６又は塩基性茶１７の含有量を０．０５〜１．０質量％、ＨＣ黄４の含有量を０．０１〜０．５質量％、ＨＣ青２の含有量を０．１〜１．５質量％とし、かつ、さらにＨＣ青１６を０．５〜３．０質量％の含有量で配合してなる染毛料組成物とすることを動機付ける記載乃至示唆は見出せない。
（ｂ）　そうすると、甲１のみならず甲２〜甲６の記載を併せ踏まえたとしても、甲１発明において、より十分な染色性を付与すると共に地肌汚れ（皮膚への染着）の抑制性をより向上せしめることを企図して、塩基性茶１６又は塩基性茶１７の含有量を０．０５〜１．０質量％、ＨＣ黄４の含有量を０．０１〜０．５質量％、ＨＣ青２の含有量を０．１〜１．５質量％とすると共に、塩基性青７５に加えて（又は代えて）、さらに塩基性染料であるＨＣ青１６を併せて配合せしめること、並びに、その際のＨＣ１６青の含有量を０．５質量％以上〜３．０質量％とすることが、当業者にとり動機付けられていたということはできない。
（イ）　そして、以上の（ア）での［要件１］についての検討を踏まえれば、甲１発明において、「成分Ａ：ＨＣ青１６」を「０．５〜３．０質量％」の含有量とすることを含む［要件１］を満たすことを前提として規定される［要件２］を満たす組成とすることもまた、甲１〜甲６の記載に基づいて当業者が容易に想到し得たことであるとはいえない。
（ウ）　してみると、甲１発明は、甲１に記載された発明、若しくは、甲１に記載された発明及び甲１〜甲６のいずれかの記載に基づき、当業者が容易に想到し得た発明である、ということはできない。
（エ）　そして、特許発明の奏する効果に関し、特許明細書の表１〜表４には、特許発明の「実施例」としての各種カラーリンス（カラートリートメント）（表１）並びにカラーシャンプー（表３）における各染色性、皮膚汚れ（の抑制）、堅牢性、放置時間延長時の変色抑制性及び色調に関する試験結果が、「比較例」としての各種カラーリンス（カラートリートメント）（表２）並びにカラーシャンプー（表４）における各試験結果と共に記載されているところ、それら試験結果をみるに、特許発明１の上記［要件１］及び［要件２］を共に満たす実施例の各種染毛料組成物（実施例１−１、１−５、１−８、１−１０〜１−１７（以上カラーリンス（カラートリートメント））、実施例２−１、２−３〜２−８、２−１０（以上カラーシャンプー）は、いずれも、成分Ａ：ＨＣ青１６に相当する青色塩基性染料として（当該成分Ａの代わりに）塩基性青７５を０．０２質量％又は０．０５質量％含む比較例（比較例１−６〜１−１０、２−２。なお、これら塩基性青７５を含む比較例の態様は、当該塩基性青７５の含有量等からみて、甲１発明の態様に相当するものともいえる）や、成分Ａ〜成分Ｄのいずれかを含まない比較例（比較例１−１〜１−５、２−１）に比して、少なくとも「染色性」、「皮膚汚れ」に係る評価のみならず「堅牢性」及び「変色抑制」に係る評価のいずれもが併せて「◎」又は「○」であることが示されている。
　即ち、特許明細書には、特許発明１に係る染毛料組成物が、上記相違点１に係る要件を満たす成分組成のものとすることにより、少なくとも十分な染色性及び皮膚汚れの抑制性と共に堅牢性や変色抑制性においても併せ優れるという、甲１や甲２〜甲６の記載のいずれからも予期し得ない格別な効果をもたらすものであることが、そのことを例証する試験結果と共に記載されているといえる。
ウ　なお、申立人は、異議申立書において、概要次の事項（ア）及び（イ）：
（ア）　甲１の表１中には、「実施例１」として、塩基性青０．６質量％を塩基性茶０．４質量％、ＨＣ青２０．４質量％及びＨＣ黄４０．１質量％と共に含む染毛料組成物が記載されていること、甲２には毛を強く着色すると同時に非常に高い光沢を毛にもたらす新規な直接染料としてＨＣ青１６が記載されていること、及び、甲３には、（甲１の）塩基性青７５が塩基性茶１６、ＨＣ青２及びＨＣ黄４に比して地肌汚れを生じ易い直接染料であることが記載されていることから、甲１の上記塩基性青７５
に代えて
（イ）　甲１の【００１８】には、塩基性染料の合計含有量とＨＣ染料の合計含有量との質量比に着目してそれらの染料の皮膚への染着（地肌汚れ）や塩基性染料とＨＣ染料との染毛効果を調整するという技術思想が開示されているから、染着力と地肌汚れを改善するために上記質量比を調整してみることは当業者が容易になし得ること；
を述べつつ、これらの事項に基づき、特許発明１がこれら甲号証の記載に基づいて容易に想到し得たものであり、その効果もそれら甲号証の記載から当業者にとり予測可能であった旨を主張する。
　しかしながら、申立人の引用する「実施例１」の態様を含む甲１の請求項１の発明（上のアの「甲１発明」）において、必須成分である塩基性青７５
に代えて
　よって、上の（ア）、（イ）はいずれも失当であり、これらの事項に基づく申立人の主張は採用できない。
エ　したがって、特許発明１は、甲１に記載された発明に基づいて、又は、甲１に記載された発明及び甲１〜甲６のいずれかに記載された事項に基づいて、当業者が容易に発明をすることができたものであるということはできない。
（２−２）特許発明２〜４について
　特許発明２〜４は、いずれも特許発明１を直接又は間接的に引用してなる発明である。
　そうすると、これらの特許発明２〜４についてはいずれも、特許発明１に係る上記相違点１以外の相違点の有無、並びにその容易想到性等について検討するまでもなく、特許発明１について（２−１）で述べたのと同様の理由により、甲１に記載された発明に基づいて、又は、甲１に記載された発明及び甲１〜甲６のいずれかに記載された事項に基づいて、当業者が容易に発明をすることができたものである、ということはできない。
（３）小活
　以上述べたとおりであるから、特許発明１〜４は、そのいずれも、甲第１号証に記載された発明及び甲第１〜３、５、６号証の記載に基づいて当業者が容易に発明をすることができたものではなく、それら特許発明１〜４に係る特許は、特許法第２９条第２項の規定に違反してなされたものではない。
　よって、申立人による申立理由１は、理由がない。　
２−２．申立理由２について
（１）甲４に記載された発明
　摘記甲４ａの請求項１及び請求項５によれば、甲４には、次の発明：
「　下記の３種の成分：
　　・海泥
　　・カチオン性界面活性剤の１種以上
　　・塩基性染料の１種以上
を含有し、さらに
　　　ＨＣ染料
を含有することを特徴とする染毛料組成物。　」
（以下、「甲４発明」ということがある）が記載されているものと認められる。
（２）対比・判断
（２−１）特許発明１について
ア　特許発明１と甲４発明とを対比するに、
　・甲４発明の「塩基性染料」は、特許発明１の「ＨＣ青１６」及び「塩基性茶１６及び塩基性茶１７からなる群より選ばれる１以上の染料」に相当すること；
　・甲４発明の「ＨＣ染料」は、特許発明１の「ＨＣ黄４及びＨＣ黄２からなる群より選ばれる１以上の染料」及び「ＨＣ青２」に相当すること；
　・甲４発明は、「海泥」及び「カチオン性界面活性剤の１種以上」を併せ含むものであるが、特許発明１ではそのような「海泥」や「カチオン性界面活性剤」の１種以上をも併せ含む染毛料組成物の態様を特段除外するものではないから、これらの点は相違点とはならないこと；
を踏まえると、両者は
「　 塩基性染料及びＨＣ染料を含有する染毛料組成物　」
の点で一致するが、次の点（以下、単に「相違点２」ということがある）において相違する。
　［相違点２］：
　　特許発明１では、次の［要件３］及び［要件４］：
　　［要件３］　「塩基性染料」が、次の「成分Ａ」及び「成分Ｂ」：
　　　「成分Ａ：ＨＣ青１６」
　　　「成分Ｂ：塩基性茶１６及び塩基性茶１７からなる群より選ばれる１以上の染料」
　　　であり、
　　　「前記成分Ａの含有量が０．５〜３．０質量％」
　　　「前記成分Ｂの含有量が０．０５〜１．０質量％」
　　　であり、かつ、
　「ＨＣ染料」が、次の「成分Ｃ」及び「成分Ｄ」：
　　　「成分Ｃ：ＨＣ黄４及びＨＣ黄２からなる群より選ばれる１以上の染料」
　　　「成分Ｄ：ＨＣ青２」
　　　であり、
　　　「前記成分Ｃの含有量が０．０１〜０．５質量％」
　　　「前記成分Ｄの含有量が０．１〜１．５質量％」
　　である
　　［要件４］　［要件３］の「成分Ａ」〜「成分Ｄ」において
　　　　　　「　［｛（成分Ａの含有量）＋（成分Ｂの含有量）｝
　　　　　　　　／｛（成分Ｃの含有量）＋（成分Ｄの含有量）｝］
　　　　　　　が０．１〜５．０である　」
　を共に満たすものである；　のに対し、
　　甲４発明には、上記［要件３］及び［要件４］を共に満たすことの限定はない；　
　点
イ　以下、上記相違点２について検討する。
（ア）　まず、相違点２の[要件３]について検討する。
ａ（ａ）　甲４には、甲４発明の染毛料組成物に関し、塩基性染料及びカチオン性界面活性剤を用いたカラートリートメントにおいてさらに海泥を併せて配合することにより、塩基性染料の毛髪染着力を向上させつつ地肌汚れを抑制し、併せて処理後の毛髪感触等をも向上させ得ること（甲４ｂ〜甲４ｃ）や、当該染毛料組成物の例として、塩基性染料であるBasic Blue 75（塩基性青７５）０．０２質量％　及びBasic Brown 16（塩基性茶１６）０．２質量％　と共に、HC Blue No.2（ＨＣ青２）０．５質量％　及びHC Yellow No.4（ＨＣ黄４）０．０５質量％　を併せ含む各種染毛料組成物（甲４ｆ表３中の実施例２３〜２５、２７）等が記載されている。
（ｂ）　しかしながら、甲４には、塩基性染料としてＨＣ青１６を用いることの具体的な記載乃至示唆は見当たらない。また、甲４には、塩基性染料の含有量は好ましくは
０．１〜０．３質量％の範囲内
０．３質量％を超えると、皮膚への染着による地肌汚れが生じる恐れがあることが記載されている（甲４ｄ【００３６】）ことから、例えば上記
　そうすると、当業者にとってみても、甲４発明において、より十分な染色性を付与すると共に地肌汚れ（皮膚への染着）の抑制性をより向上せしめることを企図して、塩基性茶１６又は塩基性茶１７を０．０５〜１．０質量％、ＨＣ黄４を０．０１〜０．５質量％、及びＨＣ青２を０．１〜１．５質量％とすると共に、さらに塩基性染料であるＨＣ青１６を併せて配合せしめること、並びに、その際のＨＣ１６青の含有量を０．５質量％以上〜３．０質量％とすることが、甲４の記載を以て動機付けられ得たということはできない。
ｂ　また、甲１〜甲３，甲５、甲６の各記載事項については、２−１．（２）（２−１）イ（ア）ａ〜ｂで述べたとおりであるから、甲４のみならず甲１〜甲３、甲５及び甲６の記載を併せ踏まえたとしても、甲４発明において、より十分な染色性を付与すると共に地肌汚れ（皮膚への染着）の抑制性をより向上せしめることを企図して、塩基性茶１６又は塩基性茶１７の含有量を０．０５〜１．０質量％、ＨＣ黄４の含有量を０．０１〜０．５質量％、ＨＣ青２の含有量を０．１〜１．５質量％とし、かつ、さらに塩基性染料であるＨＣ青１６を併せて配合せしめること、並びに、その際のＨＣ１６青の含有量を０．５質量％以上〜３．０質量％とすることが、当業者に対し動機付けられていたということはできない。
（イ）　そして、以上の（ア）での［要件３］についての検討を踏まえれば、甲４発明において、「成分Ａ：ＨＣ青１６」を「０．５〜３．０質量％」の含有量とすることを含む［要件３］を満たすことを前提として規定される［要件４］を満たす組成とすることもまた、甲１〜甲６の記載に基づいて当業者が容易に想到し得たことであるとはいえない。
（ウ）　してみると、甲４発明は、甲４に記載された発明、若しくは、甲４に記載された発明及び甲１〜甲６のいずれかの記載に基づき、当業者が容易に想到し得た発明である、ということはできない。
（エ）　そして、２−１．（２）（２−１）イ（エ）で述べたとおり、特許発明１は、上記相違点２に係る要件を満たす成分組成のものとすることにより、少なくとも十分な染色性及び皮膚汚れの抑制性と共に堅牢性や変色抑制性においても併せ優れるという、甲１〜甲６の記載のいずれからも予期し得ない、特許明細書に記載された格別な効果をもたらすものである。
ウ　なお、申立人は、異議申立書において、特許発明１と甲４に記載された発明との相違点に関し、概要次の事項（ア）〜（ウ）：
（ア）　甲４記載の発明において、毛を強く着色すると同時に高い光沢をもたらすＨＣ青１６を使用することは甲２の記載に基づき当業者が容易になし得ることであり；
　また、その際、甲１の【０００６】や甲３の【００２４】の記載から、甲４記載の発明において甲２記載のＨＣ青１６の含有量をどの程度とするかは、染着力及び地肌汚れを勘案して当業者が適宜設定し得る事項であり；
　さらに、甲３の【００８４】（表２）の記載から看取できるとおり、塩基性青７５が地肌汚れを生じ易いことは公知であるから、ＨＣ青１６が塩基性青７５に比して皮膚汚れを生じにくいことは当業者が予想し得たこと；
（イ）　成分Ａ：ＨＣ青１６と同様に、染着力及び地肌汚れを勘案して成分Ｂ〜成分Ｄの各染料の含有量をどの程度とするかについても、当業者が適宜設定し得ること；
（ウ）　甲１の【００１８】の記載をも勘案すれば、染着力及び地肌汚れを改善するために塩基性染料とＨＣ染料の質量比を調整して０．１〜５．０とすることにもまた、当業者にとり格別な困難性を有することではなく；　
　また、特許明細書の実施例１−１、実施例２−１、実施例１−７及び実施例２−１１における（成分Ａ＋成分Ｂ）／（成分Ｃ＋成分Ｄ）の比の値と「ダメージ毛に対する色ムラ」の評価結果との対比から、ＨＣ染料の割合が大きくなるとダメージ毛に対する色ムラがより少なくなることが把握されるが、かかる効果は甲５の【０００５】、【０００６】や甲６の【００１８】や【００２７】の記載を踏まえれば当業者が予測し得たこと；
を述べつつ、特許発明１は甲４、甲１〜甲３、甲５及び甲６の記載に基づいて当業者が容易に発明をすることができたものであることを主張する。
　しかしながら、上のア〜イで検討し説示したとおり、甲４に記載された発明において上記相違点２に係る［要件３］及び［要件４］を満たす染毛料組成物とすることは、甲１〜甲６の記載を踏まえても当業者にとり容易に想到し得たことではなく、また、特許発明１は、当該相違点２に係る［要件３］及び［要件４］を満たすことで、甲１〜甲６から予期し得ない格別の効果がもたらすものであるから、上の（ア）〜（ウ）はいずれも失当であり、これらの事項に基づく申立人の主張は何ら採用の限りではない。
エ　したがって、特許発明１は、甲４に記載された発明に基づいて、又は、甲４に記載された発明及び甲１〜甲６のいずれかに記載された事項に基づいて、当業者が容易に発明をすることができたものであるということはできない。
（２−２）特許発明２〜４について
　特許発明２〜４は、いずれも特許発明１を直接又は間接的に引用してなる発明である。
　そうすると、これらの特許発明２〜４についてはいずれも、特許発明１に係る上記相違点２以外の相違点の有無、並びにその容易想到性等について検討するまでもなく、特許発明１について（２−１）で述べたのと同様の理由により、甲４に記載された発明に基づいて、又は、甲４に記載された発明及び甲１〜甲６のいずれかに記載された事項に基づいて、当業者が容易に発明をすることができたものであるということはできない。
（３）小活
　以上述べたとおりであるから、特許発明１〜４は、そのいずれも、甲第４号証に記載された発明及び甲第１〜６号証の記載に基づいて当業者が容易に発明をすることができたものではなく、それら特許発明１〜４に係る特許は、特許法第２９条第２項の規定に違反してなされたものではない。
　よって、申立人による申立理由２は、理由がない。　
３　申立理由３について
　本項３では、まず、３−１．において、特許明細書の記載を検討し、本件特許の請求項１〜４に係る発明が特許法第３６条第６項第１号の規定を満たすものであることを示した上で、その後の３−２．において、３−１．での検討・説示を踏まえ、申立理由３に関する申立人の［第３］３（１）及び（２）がいずれも当を得たものでないことを示す。
３−１．特許発明１〜４についてのサポート要件に係る判断
（１）　特許請求の範囲の記載が特許法第３６条第６項第１号に規定する要件（サポート要件）に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識し得る範囲のものであるか否か、また、その記載や示唆がなくとも当業者が出願時の技術常識に照らして当該発明の課題を解決できると認識し得る範囲のものであるか否かを検討して判断すべきものである。
（２）　そこで、（１）の点を踏まえ、以下検討する。
ア　本件特許の特許請求の範囲に記載された請求項１〜４に係る発明は、上の［２］のとおりである。
イ　一方、特許明細書には、次のような記載がある（下線は当審による）。
（ｉ）　「　【０００３】
　・・・毛髪や頭皮へのダメージが小さい処理剤として、
塩基性染料やＨＣ染料を用いた染毛料
【０００４】
　しかしながら、
従来の上記染毛料は、皮膚への染着性が高く、即ち、皮膚に付着した場合に皮膚に色がつきやすいという欠点があり、特に、カラーシャンプー、カラーリンスやカラートリートメントの場合には、洗髪時に手袋等を用いずに使用するため、指先や頭皮が着色してしまう問題があった
上記着色を抑制するために、染毛料中の染料濃度を低くする場合には、毛髪に対する染色性が低下する。
毛髪に対する染色性は高く、皮膚への染着性は抑えられた染毛料が求められている
【先行技術文献】
【特許文献】
【０００５】
【特許文献１】 特開２０１４−１０１２９２号公報
【発明の概要】
【発明が解決しようとする課題】
【０００６】
　本発明は、上記従来技術に鑑みてなされたものであって、本発明の目的は、
毛髪に対する十分な染色性を有するにもかかわらず、皮膚への染着性は抑えられた染毛料組成物を提供すること
　・・・
【発明の効果】
【００１３】
　本発明の染毛料組成物は、
十分に優れた毛髪に対する染色性を有する
皮膚への染着性が低く、使用時の指や頭皮の着色が極めて少ない
（ｉｉ）　「　【００１６】
  
本発明の染毛料組成物は、成分Ａ、成分Ｂ、成分Ｃ、及び成分Ｄを少なくとも含む。
用途に応じて、さらに、必須成分である上記成分Ａ〜Ｄ以外の成分を含んでいてもよい
カラーリンス又はカラートリートメントである場合
カチオン性界面活性剤、カチオン性ポリマー、及びシリコーン油からなる群より選ばれる１以上の成分
「成分Ｅ」
【００１７】
　本発明の染毛料組成物は、さらに上記Ａ〜Ｅ以外の成分（他の成分）を含んでいてもよい。上記の成分、例えば、成分Ａ、成分Ｂ、成分Ｃ、成分Ｄ、成分Ｅや他の成分は、それぞれ、１種のみが用いられていてもよく、２種以上が用いられていてもよい。　」
（ｉｉｉ）　「　【００１９】
［
成分Ａ：ＨＣ青１６
　・・・。
成分Ａは、毛髪に対する染色性が非常に優れるにもかかわらず、皮膚への染着性が極めて低い。このため、成分Ａを用いることにより、毛髪への高い染色性と皮膚への染着の抑止性を両立した染毛料組成物を得ることができる。
　・・・
【００２０】
　成分Ａは、・・・、１−プロパンアミニウム，３−［［９，１０−ジヒドロ−４−（メチルアミノ）−９，１０−ジオキソ−１−アントラセニル］アミノ］−Ｎ，Ｎ−ジメチル−Ｎ−プロピル−，ブロミド：１−Ｐｒｏｐａｎａｍｉｎｉｕｍ，３−［［９，１０−ｄｉｈｙｄｒｏ−４−（ｍｅｔｈｙｌａｍｉｎｏ）−９，１０−ｄｉｏｘｏ−１−ａｎｔｈｒａｃｅｎｙｌ］ａｍｉｎｏ］−Ｎ，Ｎ−ｄｉｍｅｔｈｙｌ−Ｎ−ｐｒｏｐｙｌ−，ｂｒｏｍｉｄｅである。
【００２１】
　成分Ａは、市販品を用いることもできる。成分Ａの市販品としては、例えば、アルテックケミカル社製、商品名「ＨＣ  Ｂｌｕｅ  Ｎｏ．１６」が挙げられる。
【００２２】
  本発明の染毛料組成物１００質量％中の、成分Ａの含有量は、特に限定されないが、
０．０５〜３．０質量％が好ましく
さらに好ましくは０．５〜１．０質量％
０．０５質量％以上であると、毛髪に対する染色性、特に白髪を染色する効果がより向上する
３．０質量％以下であると、安全性がより一層向上する
水洗後に水に溶けだした染料によるタオルや衣服等への色移りがより一層抑制される
（ｉｖ）　「　【００２３】
［
成分Ｂ：塩基性茶１６及び塩基性茶１７からなる群より選ばれる１以上の染料
　成分Ｂは、・・・、塩基性茶１６及び／又は塩基性茶１７である。上記塩基性茶１６は、・・・、［８−［（ｐ−アミノフェニル）アゾ］−７−ヒドロキシ−２−ナフチル］トリメチルアンモニウムクロリド：［８−［（ｐ−Ａｍｉｎｏｐｈｅｎｙｌ）ａｚｏ］−７−ｈｙｄｒｏｘｙ−２−ｎａｐｈｔｈｙｌ］ｔｒｉｍｅｔｈｙｌａｍｍｏｎｉｕｍ  ｃｈｌｏｒｉｄｅである。上記塩基性茶１７は、・・・、［８−［（４−アミノ−３−ニトロフェニル）アゾ］−７−ヒドロキシ−２−ナフチル］トリメチルアンモニウムクロリド：［８−［（４−Ａｍｉｎｏ−３−ｎｉｔｒｏｐｈｅｎｙｌ）ａｚｏ］−７−ｈｙｄｒｏｘｙ−２−ｎａｐｈｔｈｙｌ］ｔｒｉｍｅｔｈｙｌａｍｍｏｎｉｕｍ  ｃｈｌｏｒｉｄｅである。成分Ｂは、１種のみが用いられていてもよく、２種以上が用いられていてもよい。
【００２４】
  成分Ｂは、市販品を用いることもできる。塩基性茶１６の市販品としては、例えば、センシエント  テクノロジーズ  ジャパン株式会社製、商品名「ＡＲＩＡＮＯＲ  ＭＡＨＯＧＡＮＹ」；保土谷化学工業株式会社製、商品名「ＡＨＣ  ＢＲＯＷＮ  ＳＰ」が挙げられる。塩基性茶１７の市販品としては、例えば、センシエント  テクノロジーズ  ジャパン株式会社製、商品名「ＡＲＩＡＮＯＲ  ＳＩＥＮＮＡ  ＢＲＯＷＮ」が挙げられる。
【００２５】
  本発明の染毛料組成物１００質量％中の、成分Ｂの含有量は、特に限定されないが、
０．０５〜１．０質量％が好ましく
０．０５質量％以上であると、毛髪に対する染色性、特に白髪を染色する効果がより向上する
１．０質量％以下であると、安全性がより一層向上する
水洗後に水に溶けだした染料によるタオルや衣服等への色移りがより一層抑制される
（ｖ）　「　【００２６】
［
成分Ｃ：ＨＣ黄４及びＨＣ黄２からなる群より選ばれる１以上の染料
　成分Ｃは、・・・、ＨＣ黄４及び／又はＨＣ黄２である。上記ＨＣ黄４は、・・・、２−［［２−（２−ヒドロキシエトキシ）−４−ニトロフェニル］アミノ］エタノール：２−［［２−（２−ｈｙｄｒｏｘｙｅｔｈｏｘｙ）−４−ｎｉｔｒｏｐｈｅｎｙｌ］ａｍｉｎｏ］ｅｔｈａｎｏｌである。上記ＨＣ黄２は、・・・、２−［（２−ニトロフェニル）アミノ］エタノール：２−［（２−Ｎｉｔｒｏｐｈｅｎｙｌ）ａｍｉｎｏ］ｅｔｈａｎｏｌである。成分Ｃは、１種のみが用いられていてもよく、２種以上が用いられていてもよい。
【００２７】
　成分Ｃは、市販品を用いることもできる。ＨＣ黄４の市販品としては、例えば、テルカ社製、商品名「ＣＯＬＯＲＥＸ  ＨＣＹ４」が挙げられる。ＨＣ黄２の市販品としては、例えば、テルカ社製、商品名「ＣＯＬＯＲＥＸ  ＨＣＹ２」が挙げられる。
【００２８】
  本発明の染毛料組成物１００質量％中の、成分Ｃの含有量は、特に限定されないが、
０．０１〜０．５質量％が好ましく
０．０１質量％以上であると、堅牢性がより向上する
０．５質量％以下であると、安全性がより一層向上する
水洗後に水に溶けだした染料によるタオルや衣服等への色移りがより一層抑制される
【００２９】
  成分Ｃとしては、
耐光性（光安定性）により一層優れる観点から、ＨＣ黄２がより好ましい
成分Ｃ１００質量％中のＨＣ黄２の含有量は、５０．０質量％以上（即ち、５０．０〜１００質量％）が好ましく
ＨＣ黄２を必須成分として含むことにより、黄色の退色がより一層抑制される
（ｖｉ）　「　【００３０】
［
成分Ｄ：ＨＣ青２
　・・・ＨＣ青２は、・・・、２，２’−［［４−［（２−ヒドロキシエチル）アミノ］−３−ニトロフェニル］イミノ］ビスエタノール：２，２’−［［４−［（２−Ｈｙｄｒｏｘｙｅｔｈｙｌ）ａｍｉｎｏ］−３−ｎｉｔｒｏｐｈｅｎｙｌ］ｉｍｉｎｏ］ｂｉｓｅｔｈａｎｏｌである。
【００３１】
　成分Ｄは、市販品を用いることもできる。成分Ｄの市販品としては、例えば、テルカ社製、商品名「ＣＯＬＯＲＥＸ  ＨＣＢ２」が挙げられる。
【００３２】
  本発明の染毛料組成物１００質量％中の、成分Ｄの含有量は、特に限定されないが、
０．１〜１．５質量％が好ましく
０．１質量％以上であると、堅牢性がより向上する
青色の染料として、成分Ａと成分Ｄを組み合わせることにより、染色速度を適切に調節できるため、ダメージ毛（例えば、ブリーチ毛）に対する染色ムラが生じにくくなり
成分Ａはカチオン性であるため、染着速度がはやく堅牢性にも優れるがダメージ毛や損傷部位に吸着しやすく染色ムラがでやすい
成分Ｄはノニオン性であるため損傷の有無によらず均一に吸着しやすい
含有量が１．５質量％以下であると、安全性がより一層向上する
水洗後に水に溶けだした染料によるタオルや衣服等への色移りがより一層抑制される
（ｖｉｉ）　「　【００３３】
　本発明の染毛料組成物は、
ブリーチ処理された毛等のダメージ毛に対する色ムラがより少なくなる
［｛（成分Ａの含有量）＋（成分Ｂの含有量）｝／｛（成分Ｃの含有量）＋（成分Ｄの含有量）｝］は
０．１〜１０．０が好ましく、より好ましくは０．５〜５．０
（ｖｉｉｉ）　「　【００３４】
　以下に、本発明の染毛料組成物が
カラーリンス、カラートリートメント、及びヘアマニキュアのうちのいずれかである場合の好ましい任意成分
【００３５】
［
成分Ｅ：カチオン性界面活性剤、カチオン性ポリマー、及びシリコーン油からなる群より選ばれる１以上の成分
　本発明の染毛料組成物がカラーリンス、カラートリートメント、及びヘアマニキュアのうちのいずれかである場合、本発明の染毛料組成物は、成分Ｅを含むことが好ましい。成分Ｅは、カチオン性界面活性剤、カチオン性ポリマー、及びシリコーン油からなる群より選ばれる１以上の成分（少なくとも１の成分）である。
成分Ｅを含むと、染毛料組成物による水洗時のきしみ感の低減の効果が向上するため好ましい。
【００３６】
　上記
カチオン性界面活性剤（カチオン界面活性剤）
　・・・
【００４１】
　上記
カチオン性ポリマー（カチオンポリマー）
塩化Ｏ−［２−ヒドロキシ−３−（トリメチルアンモニオ）プロピル］ヒドロキシエチルセルロース
ポリ塩化ジメチルメチレンピペリジニウム
【００４２】
  上記
シリコーン油
メチルポリシロキサン
平均重合度が６５０〜７０００である高重合メチルポリシロキサン
アミノエチルアミノプロピルシロキサン・ジメチルシロキサン共重合体
【００４３】
  本発明の染毛料組成物が成分Ｅを含む場合、本発明の染毛料組成物１００質量％中の、成分Ｅの含有量は、特に限定されないが、０．５〜１０．０質量％が好ましく、より好ましくは１．０〜５．０質量％である。上記含有量が０．５質量％以上であると、水洗時にきしみ感がより一層低減するため好ましい。上記含有量が１０．０質量％を超える場合には、連続使用により成分Ｅが毛髪に蓄積され、毛髪にごわつきが生じる場合がある。上記成分Ｅの含有量は、本発明の染毛料組成物中の全ての成分Ｅの含有量の合計量である。
【００４４】
  ・・・、本発明の染毛料組成物は、多価アルコールを含むことが好ましい。上記多価アルコールとしては、例えば、エチレングリコール、プロピレングリコール、
ジプロピレングリコール
【００４５】
　・・・、本発明の染毛料組成物は、高級アルコールを含むことが好ましい。上記高級アルコールとしては、例えば、炭素数１６〜２２のアルコールが挙げられ、
セチルアルコール
ステアリルアルコール
【００４６】
　・・・、本発明の染毛料組成物は、炭化水素油を含むことが好ましい。上記炭化水素油としては、例えば、α−オレフィンオリゴマー、軽質イソパラフィン、軽質流動イソパラフィン、スクワラン、合成スクワラン、植物性スクワラン、流動イソパラフィン、
流動パラフィン
【００４７】
　本発明の染毛料組成物は、毛髪の染色性をより一層向上させる観点から、脂肪酸部分の炭素数が１２以下であるエステル化合物を含んでもよい。上記エステル化合物としては、例えば、
カプリン酸グリセリル
２−エチルヘキサン酸セチル
【００４８】
　・・・、本発明の染毛料組成物は、経時での安定性観点から、ノニオン性界面活性剤（ノニオン界面活性剤）を含んでいてもよい。上記ノニオン性界面活性剤としては、例えば、ポリオキシエチレン脂肪酸、グリセリン脂肪酸エステル、ポリオキシエチレングリセリン脂肪酸エステル、
ポリグリセリン脂肪酸エステル
ポリオキシエチレンアルキルエーテル
【００４９】
　・・・、本発明の染毛料組成物は、水を含む。水は、特に限定されないが、精製水が好ましい。本発明の染毛料組成物１００質量％中の、水の含有量は、特に限定されないが、５０．０〜９０．０質量％が好ましく、より好ましくは６０．０〜８０．０質量％である。
【００５０】
　・・・、本発明の染毛料組成物は、ｌ−メントール、１，８−シネオール、カンファ等の清涼剤；フェノキシエタノール等の防腐剤；オリーブ油、マカデミアナッツ油、アルガンオイル等の植物油；シリカ等の吸湿剤；ヒアルロン酸又はその誘導体、コラーゲン又はその誘導体、アミノ酸又はその誘導体、抗酸化剤、金属封鎖剤、ビタミン類、動植物抽出エキス、パール化剤、着色剤、香料等を含んでいてもよい。　」
（ｉｘ）　「　【００５１】
　以下に、本発明の染毛料組成物が
カラーシャンプーである場合の好ましい任意成分
【００５２】
　・・・、本発明の染毛料組成物は、洗浄性の観点から、アニオン性界面活性剤（アニオン界面活性剤）、カチオン性界面活性剤、ノニオン性界面活性剤、及び両性界面活性剤からなる群より選ばれる１以上の界面活性剤（少なくとも１の界面活性剤）を含む。中でも、染色性を維持しながら洗浄性を向上させる観点から、ノニオン性界面活性剤及び／又は両性界面活性剤が好ましい。本発明の染毛料組成物１００質量％中の、界面活性剤の含有量は、特に限定されないが、染色性と洗浄性の観点から、１．０〜２０．０質量％が好ましく、より好ましくは５．０〜１５．０質量％である。上記界面活性剤の含有量は、本発明の染毛料組成物中の全ての界面活性剤の含有量の合計量である。
【００５３】
  上記アニオン性界面活性剤としては、例えば、ラウリル硫酸ナトリウム、ラウリル硫酸トリエタノールアミン、ミリスチル硫酸ナトリウム、ステアリル硫酸ナトリウム、オレイル硫酸ナトリウム、セチル硫酸ナトリウム等のアルキル硫酸エステル塩；ポリオキシエチレンラウリルエーテル硫酸ナトリウム、ポリオキシエチレンミリスチルエーテル硫酸ナトリウム等のポリオキシエチレンアルキルエーテル硫酸塩；テトラデセンスルホン酸ナトリウム等のα−オレフィンスルホン酸塩；ミリストイルメチルタウリンナトリウム、パルミトイルメチルタウリンナトリウム、ステアロイルメチルタウリンナトリウム、オレオイルメチルタウリンナトリウム、ヤシ油脂肪酸メチルタウリンナトリウム等のＮ−アシルメチルタウリン塩；スルホコハク酸ジオクチルナトリウム、スルホコハク酸ラウリル二ナトリウム等のスルホコハク酸アルキル塩；スルホコハク酸ポリオキシエチレンラウリル二ナトリウム等のスルホコハク酸ポリオキシエチレンアルキル塩；ラウリルリン酸ナトリウム、セチルリン酸ナトリウム、セチルリン酸ジエタノールアミン等のモノアルキルリン酸エステル塩；ポリオキシエチレンラウリルエーテルリン酸ナトリウム、ポリオキシエチレンセチルエーテルリン酸ナトリウム、ポリオキシエチレンオレイルエーテルリン酸ナトリウム、ポリオキシエチレンアルキルフェニルエーテルリン酸ナトリウム、ポリオキシエチレンアルキルフェニルエーテルリン酸トリエタノールアミン等のポリオキシエチレンアルキルエーテルリン酸エステル塩；ラウロイルサルコシンカリウム、ラウロイルサルコシントリエタノールアミン、ミリストイルサルコシンナトリウム、ヤシ油脂肪酸サルコシンナトリウム等のＮ−アシルサルコシン塩；ラウロイルメチルアラニンナトリウム、ラウロイルメチルアラニントリエタノールアミン、ミリストイルメチルアラニンナトリウム、ヤシ油脂肪酸メチルアラニンナトリウム等の
Ｎ−アシル−Ｎ−メチル−β−アラニン塩
ヤシ油脂肪酸アシルグルタミン酸トリエタノールアミン
Ｎ−アシル−Ｎ−メチル−β−アラニン塩
【００５４】
  上記両性界面活性剤としては、例えば、
ラウリン酸アミドプロピルベタイン
ヤシ油脂肪酸アミドプロピルベタイン
【００５５】
  上記ノニオン性界面活性剤としては、本発明の染毛料組成物がカラーリンス、カラートリートメント、及びヘアマニキュアのうちのいずれかである場合の任意成分として例示したノニオン性界面活性剤が挙げられる。中でも、粘性の付与の観点から、脂肪酸アルキロールアミドが好ましい。本発明の染毛料組成物がノニオン性界面活性剤を含む場合、本発明の染毛料組成物１００質量％中の、ノニオン性界面活性剤の含有量は、特に限定されないが、粘性の付与の観点から、０．５〜１０．０質量％が好ましく、より好ましくは１．０〜５．０質量％である。上記ノニオン性界面活性剤の含有量は、本発明の染毛料組成物中の全てのノニオン性界面活性剤の含有量の合計量である。
【００５６】
  上記カチオン性界面活性剤としては、成分Ｅとして例示されたカチオン性界面活性剤が挙げられる。中でも、使用後の毛髪の風合いを良好とする観点から、
塩化ステアリルトリメチルアンモニウム
塩化アルキル（１６，１８）トリメチルアンモニウム
塩化アルキル（２０〜２２）トリメチルアンモニウム
【００５７】
  本発明の染毛料組成物がカラーシャンプーである場合、本発明の染毛料組成物は、水を含む。水は、特に限定されないが、精製水が好ましい。本発明の染毛料組成物１００質量％中の、水の含有量は、特に限定されないが、５０．０〜９０．０質量％が好ましく、より好ましくは６０．０〜８０．０質量％である。
【００５８】
  本発明の染毛料組成物がカラーシャンプーである場合、本発明の染毛料組成物は、ｌ−メントール、１，８−シネオール、カンファ等の清涼剤；フェノキシエタノール等の防腐剤；オリーブ油、マカデミアナッツ油、アルガンオイル等の植物油；シリカ等の吸湿剤；ヒアルロン酸又はその誘導体、コラーゲン又はその誘導体、アミノ酸又はその誘導体、抗酸化剤、金属封鎖剤、ビタミン類、動植物抽出エキス、パール化剤、着色剤、香料等を含んでいてもよい。　」
（ｘ）　「　【００６０】
　本発明の染毛料組成物の製造方法は、特に限定されず、常法に従って、製造することができる。具体的には、以下の方法等が挙げられる。例えば、カラーリンス又はカラートリートメントの場合には、７０〜９０℃に加熱して十分溶解させた水相に、７０〜９０℃に加熱した油相を徐々に入れ、５分間しっかり攪拌し、乳化を行う。乳化後、２０〜４０℃まで冷却し、精製水に溶解させた染料を入れ、十分に均一攪拌した後、ｐＨ調整剤を入れ、十分に均一攪拌してクリーム状の染毛料組成物を得る。カラーシャンプーの場合には、常温において染料を十分溶解させた水相に、各種界面活性剤を徐々に入れて攪拌し、安定剤、ｐＨ調整剤を入れて十分に均一攪拌して、粘性のある液状の染毛料組成物を得る。
【００６１】
　本発明の染毛料組成物のｐＨは、特に限定されないが、染色性の観点から、４．０〜８．０が好ましく、より好ましくは５．０〜８．０である。さらに、染毛料組成物の安定性の観点から、上記ｐＨは、６．５以下であることが好ましい。特に、本発明の染毛料組成物がカラーリンス、カラートリートメントやヘアマニキュアの場合、ｐＨは４．０〜６．５が好ましく、カラーシャンプーの場合、ｐＨは５．０〜６．５が好ましい。
【００６２】
　本発明の染毛料組成物の剤型は、特に限定されないが、例えば、液状、粘性液状、ジェル状、乳液状、クリーム状等が挙げられる。中でも、染色性と風合いの観点から、クリーム状が好ましい。　」
　
（ｘｉ）　「　【実施例】
【００６８】
　以下に、実施例に基づいて本発明をより詳細に説明するが、本発明はこれらの実施例にのみ限定されるものではない。なお、表に記載の配合量は、各成分の配合量（すなわち、各原料中の有効成分の配合量。所謂純分）であり、特記しない限り「質量％」で表す。但し、表中のポリ塩化ジメチルメチレンピペリジニウム液及びアミノエチルアミノプロピルシロキサン・ジメチルシロキサン共重合体エマルションの配合量は商品自体の配合量で示した。
なお、実施例１−２〜１−４、１−６、１−７、１−９、２−２、及び２−９は参考例として記載するものである。
・（ｘｉ−１）　「　【００６９】
　実施例１−１〜１−１７、比較例１−１〜１−１０：カラーリンス（又はカラートリートメント）
　表に記した組成に従い、各染毛料組成物を調製し、下記試験１〜７の評価試験に供した。上記各染毛料組成物はカラーリンス（又はカラートリートメント）である。評価結果は表に併記する。
【００７０】
　実施例２−１〜２−１１、比較例２−１〜２−２：カラーシャンプー
　表に記した組成に従い、各染毛料組成物を調製し、下記試験１〜７の評価試験に供した。上記各染毛料組成物はカラーシャンプーである。評価結果は表に併記する。
【００７１】
　実施例及び比較例の各染毛料組成物のｐＨは、ｐＨメーター（株式会社堀場製作所製、商品名「卓上型ｐＨメータ  Ｆ−７４」）を用いて測定した。
【００７２】
［試験１：染色性の評価］
　試験用毛束として、未処理の白色人毛毛束（株式会社ビューラックス製、長さ１０ｃｍ、重さ１ｇ）を用いた。
【００７３】
（評価用毛束の調製：カラーリンスの場合）
　試験用毛束を市販のシャンプーを用いて洗浄した後、軽く水気を切り、以下の調製に用いた。上記試験用毛束に、製造直後の実施例及び比較例で得られた各染毛料組成物０．５ｇを塗布し、１分間ハケを用いて毛束（毛髪）全体に馴染ませた。次いで、５分間放置後、４０℃のぬるま湯を用いて、毛束から染毛料組成物を十分に洗い流し、タオルドライを行った後、ドライヤーを用いて十分に乾燥させ、評価用毛束を調製した。
【００７４】
（評価用毛束の調製：カラーシャンプーの場合）
　試験用毛束を４０℃のぬるま湯により十分に洗浄した後、以下の調製に用いた。上記試験用毛束に、製造直後の実施例及び比較例で得られた各染毛料組成物０．２ｇを塗布し、１分間手で泡立たせて馴染ませた。次いで、５分間放置後、４０℃のぬるま湯を用いて、毛束から染毛料組成物を十分に洗い流し、タオルドライを行った後、ドライヤーを用いて十分に乾燥させ、評価用毛束を調製した。
【００７５】
　上記で得られた評価用毛束を観察し、染色性を以下の基準で評価した。なお、染色性の評価は、４名の専門評価員が行った。
　＜
染色性
　
◎（優れる）：非常に濃く染色されている。
　
○（良好）：十分に染色されている。
　×（不良）：染色が薄い。
【００７６】
　さらに、試験１で得られた評価用毛束の色調を表に示した。
【００７７】
［試験２：皮膚汚れ（染着性）の評価］
　製造直後の実施例及び比較例で得られた各染毛料組成物０．５ｇをそれぞれ、前腕内側部における直径１ｃｍの円形のエリアに塗布した。５分間放置後、塗布部を、ぬるま湯で洗い流し、次いで、石鹸を使用して３０秒間軽く擦り、ぬるま湯で洗い流した。
【００７８】
　上記塗布部を観察し以下の基準で評価した。なお、皮膚汚れの評価は、４名の専門評価員が行った。
＜
皮膚汚れ
　
◎（優れる）：皮膚汚れが全く残らない。
　
○（良好）：皮膚汚れが僅かに残る。
　×（不良）：皮膚汚れが明らかに残る。
【００７９】
［試験３：堅牢性の評価］
　試験１（染色性の評価）の評価の後、各評価用毛束を、４０℃のぬるま湯にて十分に洗った後、市販のシャンプーを用いて１分間しっかり洗浄した。さらに、４０℃のぬるま湯にて十分に洗い流しを行い、タオルドライ後、ドライヤーを用いて十分に乾燥させた。
【００８０】
　上記で得られた評価用毛束を観察し、堅牢性を以下の基準で評価した。なお、堅牢性の評価は、４名の専門評価員が行った。
＜堅牢性の評価基準＞
　○（良好）：試験後に毛髪の色の落ち方が小さい。
　×（不良）：試験後に毛髪の色の落ち方が大きい。
【００８１】
［試験４：放置時間延長時の変色抑制の評価
　試験１（染色性の評価）の評価用毛束の調製において、「５分間放置」を「３０分間放置」に変更した以外は、試験１と同様にして評価用毛束を調製した。
【００８２】
　各実施例、各比較例ごとに、試験４で調製した評価用毛束と、試験１で調製した評価用毛束の染色された色調を対比して、放置時間延長時の変色抑制の度合を以下の基準で評価した。なお、評価は、４名の専門評価員が行った。
＜放置時間延長時の変色抑制の評価基準＞
　○（良好）：試験４で調製した評価用毛束の色調は、試験１で調製した評価用毛束の色調から変化が全くない。
　×（不良）：試験４で調製した評価用毛束の色調は、試験１で調製した評価用毛束の色調から変化がある。
【００８３】
【表１】
【００８４】
【表２】
【００８５】
【表３】
【００８６】
【表４】
　　　　　　　　　　　　　　　　　　　　　　　　　　　　　　」
・（ｘｉ−２）　「　【００８７】
　また、実施例１−１、実施例１−１０〜１−１４、実施例２−１、実施例２−４、実施例２−８、実施例２−９、比較例１−６〜１−１０、比較例２−１、及び比較例２−２について、下記試験５の評価試験に供した。
【００８８】
［試験５：耐光性の評価］
　試験１（染色性の評価）の評価の後、各評価用毛束に、耐堅牢性試験機強キセノンフェードメーター（「キセノンウェザーメーターＸ−２５」、スガ試験機株式会社製）を用い、６３００ｋＪ／ｍ2の条件で光を照射した。
【００８９】
　上記で得られた評価用毛束を観察し、耐光性を以下の基準で評価した。なお、耐光性の評価は、４名の専門評価員が行った。
＜耐光性の評価基準＞
　○（良好）：試験５で調製した評価用毛束の色調は、試験１で調製した評価用毛束の色調から変化が全くない又はほとんどない。
　△（やや不良）：試験５で調製した評価用毛束の色調は、試験１で調製した評価用毛束の色調から明らかに変化がある。
　×（不良）：試験５で調製した評価用毛束の色調は、試験１で調製した評価用毛束の色調から非常に大きな変化がある。
【００９０】
　試験５（耐光性の評価）の結果、実施例１−１３は耐光性がやや不良（△）であり、実施例１−１４、実施例２−４、比較例１−６〜１−１０、及び比較例２−２は耐光性が不良（×）であった。他の実施例、比較例は耐光性が良好（〇）であった。
【００９１】
　また、全ての実施例及び比較例について、下記試験６の評価試験に供した。
【００９２】
［試験６：安定性の評価］
　実施例及び比較例で得られた各染毛料組成物を５０℃の恒温槽に４週間保管し、５０℃、４週間保管後の各染毛料組成物を調製した。
　試験１（染色性の評価）の評価用毛束の調製において、「製造直後の実施例及び比較例で得られた各染毛料組成物」を、上記「５０℃、４週間保管後の各染毛料組成物」に変更した以外は、試験１と同様にして評価用毛束を調製した。
【００９３】
　上記で得られた評価用毛束を観察し、試験１で調製した評価用毛束と比較して、安定性を以下の基準で評価した。なお、安定性の評価は、４名の専門評価員が行った。
＜安定性の評価基準＞
　○（良好）：試験６で調製した評価用毛束の色調は、試験１で調製した評価用毛束の色調から変化がない。
　×（不良）：試験６で調製した評価用毛束の色調は、試験１で調製した評価用毛束の色調から明らかに変化がある。
【００９４】
　試験６（安定性の評価）の結果、実施例２−６、実施例２−１０、及び比較例１−８は安定性が不良（×）であり、他の実施例、比較例は安定性が良好（○）であった。
【００９５】
　さらに、実施例１−１、実施例１−７、実施例２−１、及び実施例２−１１について、下記試験７の評価試験に供した。
【００９６】
［試験７：ダメージ毛に対する色ムラの評価］
　試験１（染色性の評価）の評価用毛束の調製において、「未処理の白色人毛毛束（株式会社ビューラックス製、長さ１０ｃｍ、重さ１ｇ）」を「ブリーチ処理した毛束（株式会社スタッフス製、レベル１４、長さ１０ｃｍ、重さ１ｇ）」に変更した以外は、試験１と同様にして評価用毛束を調製した。
【００９７】
　上記で得られた評価用毛束を観察し、ダメージ毛に対する色ムラを以下の基準で評価した。なお、ダメージ毛に対する色ムラの評価は、４名の専門評価員が行った。
＜ダメージ毛に対する色ムラの評価基準＞
　○（良好）：毛束全体が均一に染まっている。
　×（不良）：毛束全体が均一に染まっておらず、色ムラがある。
【００９８】
　その結果、実施例１−１及び実施例２−１はダメージ毛に対する色ムラが良好（○）であり、実施例１−７及び実施例２−１１はダメージ毛に対する色ムラが不良（×）であった。　」
（ｘｉｉ）　「　【０１００】
　　さらに、以下に、本発明の染毛料組成物の処方例を示す。
【０１０１】
（処方例１）カラーリンス（クリーム）
ＨＣ青１６
０．５質量％
塩基性茶１６
０．３質量％
ＨＣ黄４
０．０６質量％
ＨＣ青２
０．６質量％
ステアリルアルコール　　　　　　　　　　　　　　　　　７．０質量％
塩化アルキルトリメチルアンモニウム液（純分８０質量％）３．０質量％
ステアリン酸ジメチルアミノプロピルアミド　　　　　　　１．０質量％
ポリオキシエチレンセチルエーテル（５Ｅ．Ｏ．）　　　　０．５質量％
流動パラフィン　　　　　　　　　　　　　　　　　　　　３．０質量％
ジプロピレングリコール　　　　　　　　　　　　　　　　５．０質量％
２−エチルヘキサン酸セチル　　　　　　　　　　　　　　２．０質量％
塩化Ｏ−［２−ヒドロキシ−３−（トリメチルアンモニオ）プロピル］
ヒドロキシエチルセルロース　　　　　　　　　　　　　　０．５質量％
メチルポリシロキサン　　　　　　　　　　　　　　　　　２．０質量％
乳酸　　　　　　　　　　　　　　　　　　　　　適量（ｐＨ５に調整）
フェノキシエタノール　　　　　　　　　　　　　　　　　０．５質量％
水溶性コラーゲン（３）　　　　　　　　　　　　　　　　０．１質量％
アルガンオイル　　　　　　　　　　　　　　　　　　　　０．１質量％
Ｌ−グルタミン酸　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０２】
（処方例２）カラーリンス（乳液）
ＨＣ青１６
１．０質量％
塩基性茶１７
１．０質量％
ＨＣ黄４
０．０８質量％
ＨＣ青２
１．２質量％
セタノール　　　　　　　　　　　　　　　　　　　　　　６．０質量％
ポリオキシエチレンセチルエーテル（５Ｅ．Ｏ．）　　　　２．０質量％
ポリオキシエチレンセチルエーテル（２０Ｅ．Ｏ．）　　　２．０質量％
流動パラフィン　　　　　　　　　　　　　　　　　　　　５．０質量％
ジプロピレングリコール　　　　　　　　　　　　　　　　３．０質量％
カプリン酸グリセリル　　　　　　　　　　　　　　　　　２．０質量％
ポリ塩化ジメチルメチレンピペリジニウム液（純分４０質量％）
　　　　　　　　　　　　　　　　　　　　　　　　　　　１．０質量％
アミノエチルアミノプロピルシロキサン・ジメチルシロキサン
共重合体エマルション（純分４０質量％）　　　　　　　　１．５質量％
クエン酸　　　　　　　　　　　　　　　　　　　適量（ｐＨ５に調整）
安息香酸ナトリウム　　　　　　　　　　　　　　　　　　０．５質量％
ヒアルロン酸ヒドロキシプロピルトリモニウム　　　　　　０．５質量％
シリカ　　　　　　　　　　　　　　　　　　　　　　　　０．２質量％
海藻エキス（１）　　　　　　　　　　　　　　　　　　　０．１質量％
ｌ−メントール　　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０３】
（処方例３）ヘアマニキュア（ジェル）
ＨＣ青１６
０．７質量％
塩基性茶１６
０．３質量％
ＨＣ黄２
０．１質量％
ＨＣ青２
１．５質量％
ヒドロキシエチルセルロース　　　　　　　　　　　　　　２．５質量％
エタノール　　　　　　　　　　　　　　　　　　　　　１０．０質量％
ベンジルアルコール　　　　　　　　　　　　　　　　　　５．０質量％
ポリプロピレングリコール　　　　　　　　　　　　　　　３．０質量％
イソノナン酸イソノニル　　　　　　　　　　　　　　　　１．５質量％
塩化Ｏ−［２−ヒドロキシ−３−（トリメチルアンモニオ）プロピル］
ヒドロキシエチルセルロース　　　　　　　　　　　　　　０．５質量％
ポリオキシエチレン・メチルポリシロキサン共重合体　　　０．５質量％
エデト酸二ナトリウム　　　　　　　　　　　　　　　　　０．２質量％
グリコール酸　　　　　　　　　　　　　　　　　適量（ｐＨ５に調整）
ツバキ油　　　　　　　　　　　　　　　　　　　　　　　０．１質量％
パンテノール　　　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０４】
（処方例４）カラーシャンプー
ＨＣ青１６
０．５質量％
塩基性茶１６
０．２質量％
ＨＣ黄４
０．２質量％
ＨＣ青２
１．５質量％
ラウロイルメチル−β−アラニンナトリウム液（純分３０質量％）
　　　　　　　　　　　　　　　　　　　　　　　　　　　５．０質量％
ラウリン酸アミドプロピルベタイン液（純分３０質量％）３０．０質量％
ヤシ油脂肪酸Ｎ−メチルエタノールアミド　　　　　　　　２．０質量％
塩化Ｏ−［２−ヒドロキシ−３−（トリメチルアンモニオ）プロピル］
ヒドロキシエチルセルロース　　　　　　　　　　　　　　０．２質量％
ジプロピレングリコール　　　　　　　　　　　　　　　　３．０質量％
カプリン酸グリセリル　　　　　　　　　　　　　　　　　１．０質量％
モノラウリン酸ポリグリセリル　　　　　　　　　　　　　０．１質量％
高重合メチルポリシロキサン（１）　　　　　　　　　　　０．１質量％
メチルポリシロキサン　　　　　　　　　　　　　　　　　０．４質量％
クエン酸　　　　　　　　　　　　　　　　　　　適量（ｐＨ５に調整）
フェノキシエタノール　　　　　　　　　　　　　　　　　０．５質量％
水溶性コラーゲン（３）　　　　　　　　　　　　　　　　０．１質量％
ホホバ油　　　　　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０５】
（処方例５）カラーシャンプー
ＨＣ青１６
３．０質量％
塩基性茶１６
１．０質量％
ＨＣ黄２
０．０１質量％
ＨＣ青２
０．８質量％
Ｎ−ヤシ油脂肪酸アシル−Ｌ−グルタミン酸トリエタノールアミン液
（純分３０質量％）　　　　　　　　　　　　　　　　　　５．０質量％
ヤシ油脂肪酸アミドプロピルベタイン液(純分３０質量％)３０．０質量％
ヤシ油脂肪酸Ｎ−メチルエタノールアミド　　　　　　　　２．０質量％
塩化Ｏ−［２−ヒドロキシ−３−（トリメチルアンモニオ）プロピル］
グァーガムジプロピレングリコール　　　　　　　　　　　０．２質量％
ポリプロピレングリコール　　　　　　　　　　　　　　　３．０質量％
カプリル酸グリセリル　　　　　　　　　　　　　　　　　１．０質量％
アミノエチルアミノプロピルシロキサン・ジメチルシロキサン共重合体
エマルション（純分４０質量％）　　　　　　　　　　　　０．５質量％
クエン酸　　　　　　　　　　　　　　　　　　　適量（ｐＨ５に調整）
安息香酸ナトリウム　　　　　　　　　　　　　　　　　　０．５質量％
ヒアルロン酸ナトリウム　　　　　　　　　　　　　　　　０．１質量％
ラベンダー油　　　　　　　　　　　　　　　　　　　　　０．１質量％
クワエキス　　　　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０６】
（処方例６）カラーリンス（クリーム）
ＨＣ青１６
０．５質量％
塩基性茶１６
０．３質量％
ＨＣ黄２
０．０３質量％
ＨＣ青２
０．６質量％
ステアリルアルコール　　　　　　　　　　　　　　　　　５．０質量％
ベヘニルアルコール　　　　　　　　　　　　　　　　　　２．０質量％
塩化アルキルトリメチルアンモニウム液（純分８０質量％）３．０質量％
ステアリン酸ジメチルアミノプロピルアミド　　　　　　　１．０質量％
ポリオキシエチレンセチルエーテル（５Ｅ．Ｏ．）　　　　０．５質量％
流動パラフィン　　　　　　　　　　　　　　　　　　　　３．０質量％
ジプロピレングリコール　　　　　　　　　　　　　　　　５．０質量％
２−エチルヘキサン酸セチル　　　　　　　　　　　　　　２．０質量％
塩化Ｏ−［２−ヒドロキシ−３−（トリメチルアンモニオ）プロピル］
ヒドロキシエチルセルロース　　　　　　　　　　　　　　０．５質量％
デカメチルシクロペンタシロキサン　　　　　　　　　　　１．０質量％
ポリメチルシルセスキオキサン　　　　　　　　　　　　　０．５質量％
エタノール　　　　　　　　　　　　　　　　　　　　　　５．０質量％
乳酸　　　　　　　　　　　　　　　　　　　　　適量（ｐＨ５に調整）
シア脂　　　　　　　　　　　　　　　　　　　　　　　　１．０質量％
フェノキシエタノール　　　　　　　　　　　　　　　　　０．５質量％
水溶性コラーゲン（３）　　　　　　　　　　　　　　　　０．１質量％
加水分解シルク液　　　　　　　　　　　　　　　　　　　０．１質量％
精製水　　　　　　　　　　　　　　　　　　　　　　　　　　残量
合計　　　　　　　　　　　　　　　　　　　　　　　　　１００質量％
【０１０７】
（処方例７）カラーリンス（クリーム）
ＨＣ青１６　　　　　　　　　　　　　　　　　　　　　　０．５質量％
塩基性茶１６　　　　　　　　　　　　　　　　　　　　　０．５質量％
ＨＣ黄２　　　　　　　　　　　　　　　　　　　　　０．０３５質量％
ＨＣ黄４　　　　　　　　　　　　　　　　　　　　　０．０１５質量％
ＨＣ青２　　　　　　　　　　　　　　　　　　　　　　　０．４質量％
セタノール　　　　　　　　　　　　　　　　　　　　　　８．０質量％
塩化ステアリルトリメチルアンモニウム（純分２８質量％）５．８質量％
ステアリン酸ジメチルアミノプロピルアミド　　　　　　　１．０質量％
流動パラフィン　　　　　　　　　　　　　　　　　　　　３．０質量％
１，３−ブチレングリコール　　　　　　　　　　　　　　５．０質量％
（エイコサン二酸／テトラデカン二酸）デカグリセリル液　１．２質量％
濃グリセリン　　　　　　　　　　　　　　　　　　　　　０．８質量％
ポリ塩化ジメチルメチレンピペリジニウム液（純分４０質量％）
　　　　　　　　　　　　　　　　　　　　　　　　　　　１．０質量％
マイクロクリスタリンワックス　　　　　　　　　　　　　１．０質量％
エタノール　　　　　　　　　　　　　　　　　　　　　　３．０質量％
乳酸　　　　　　　　　　　　　　　　　　　　　適量（ｐＨ５に調整）
安息香酸ナトリウム　　　　　　　　　　　　　　　　　　０．５質量％
ケイ皮エキス　　　　　　　　　　　　　　　　　　　　　０．１質量％
カンゾウ抽出末　　　　　　　　　　　　　　　　　　　　０．１質量％
精製水　　　　　　　　　　　　　　　　　　　　　　　　　　残量
合計　　　　　　　　　　　　　　　　　　　　　　　　１００質量％　」
ウ　以下、イの摘記（ｉ）〜（ｘｉｉ）の記載について検討する。
（ア）　特許発明により解決されるべき課題は、特許明細書の摘記（ｉ）の【０００６】に記載されているとおりの、
「毛髪に対する十分な染色性を有するにもかかわらず、皮膚への染着性は抑えられた染毛料組成物を提供すること」　　
にあるといえる。
（イ）　一方、特許明細書の摘記（ｉｉｉ）〜（ｖｉｉ）には、特許発明に係る成分Ａ〜成分Ｄ及びそれら各成分がとり得る好ましい含有量、並びに、（成分Ａ＋成分Ｂ）／（成分Ｃ＋成分Ｄ）のとり得る好ましい比等について記載されており、特に
　・摘記（ｉｉｉ）の【００１９】及び【００２２】から、成分Ａが毛髪に対する染色性に非常に優れるにもかかわらず皮膚への染着性が低いことや、成分Ａの含有量を特許発明に規定される範囲内とすることにより、毛髪に対する染色性や安全性が一層向上すると共にタオルや衣服等への色移りが一層抑制されるため好ましいこと；
が説明され、
　・摘記（ｉｖ）の【００２５】から、成分Ｂの含有量を特許発明に規定される範囲内とすることにより、毛髪に対する染色性や安全性が一層向上すると共にタオルや衣服等への色移りが一層抑制されるため好ましいこと；
が説明され、
　・摘記（ｖ）の【００２８】〜【００２９】から、成分Ｃの含有量を特許発明に規定される範囲内とすることにより、堅牢性や安全性がより向上すると共にタオルや衣服等への色移りが一層抑制されるため好ましいこと；　また、成分ＣのうちＨＣ黄２が耐光性（光安定性）により優れ、成分Ｃ中に５０．０質量％以上含まれることがより好ましいこと；
が説明され、
　・摘記（ｖｉ）の【００３２】〜【００３３】には、青色の染料として成分Ｄを成分Ａと組み合わせて採用することにより染色速度を適切に調節し得るため、ダメージ毛に対する染色ムラが生じにくくなり好ましいこと；　その際の成分Ｄの含有量を特許発明に規定される範囲内とすることにより、堅牢性や安全性がより向上すると共にタオルや衣服等への色移りが抑制されるため好ましいこと；
が説明され、
　・摘記（ｖｉｉ）には、ダメージ毛に対する色ムラがより少なくなる観点から、（Ａ＋Ｂ）／（Ｃ＋Ｄ）の比を特許発明に規定される範囲とすることがより好ましいこと；
が説明されている。
（ウ）　また、摘記（ｘｉ）（ｘｉ−１）の表１及び表３に示される試験結果によれば、それらの表の実施例の染毛料組成物のうち
　（ａ）　実施例１−１、１−５、１−８、１−１０〜１−１７（以上カラーリンス（カラートリートメント））、実施例２−１、２−３〜２−８、２−１０（以上カラーシャンプー）
の各染毛料組成物は、いずれも特許発明１に係る組成物中の成分Ａ〜成分Ｄの各含有量、及び、（成分Ａ＋成分Ｂ）／（成分Ｃ＋成分Ｄ）の比に係る要件を満たす染毛料組成物であることから、文字通り特許発明１の実施例に該当するものと認められる［中でも特に、次の（ａ）’の実施例群：
　（ａ）’　実施例１−１、１−５、１−８、１−１０〜１−１２、１−１５〜１−１７、実施例２−１、２−３、２−５〜２−８、２−１０
の各染毛料組成物は、いずれも特許発明２の成分ＣのＨＣ黄２の含有量に係る要件をも併せ満たしていることから、特許発明２の実施例にも該当するものであり、次の（ａ）’’の実施例群：
　（ａ）’’　実施例１−１、１−５、１−８、１−１０〜１−１２、１−１５〜１−１７
の各染毛料組成物は、いずれも特許発明３、４の実施例にも該当するものである］。
　ここで、これら（ａ）の各実施例の染毛料組成物は、いずれも「染色性」、「皮膚汚れ」（の少なさ）共に「◎」又は「○」であって、毛髪に対する十分な染色性及び皮膚への染着の抑制性を併せ示すものであるから、前述の（ア）の課題を解決する染毛料組成物であると認識することができる。
［　なお、表１及び表３に「実施例」として示される組成物のうち、
　・実施例１−２〜１−４、１−６、１−９、実施例２−２、２−９は、いずれも成分Ａの含有量が特許発明に規定される範囲より少なく；
　・実施例１−７は、（Ａ＋Ｂ）／（Ｃ＋Ｄ）の比が特許発明に規定される範囲より小さく；
　・実施例２−１１は、成分Ｃ、成分Ｄの含有量が特許発明に規定される範囲より少なく、かつ、（Ａ＋Ｂ）／（Ｃ＋Ｄ）の比が特許発明に規定される範囲より小さい；
ことから、これらの染毛料組成物は特許発明に規定される成分Ａ〜成分Ｄの各含有量及び（Ａ＋Ｂ）／（Ｃ＋Ｄ）の比に係る要件を併せ満たすものではないが、表１及び表３に示される試験結果によれば、これらにおいても「染色性」、「皮膚汚れ」（の少なさ）は共に「◎」又は「○」であって、毛髪に対する十分な染色性及び皮膚への染着の抑制性を併せ具備するものであるから、少なくともこれらの染毛料組成物の態様もまた、前述の（ア）の課題を解決する染毛料組成物であると認識することができる。　］
（エ）　そして、上述の（イ）〜（ウ）で検討した箇所を含む特許明細書の摘記（ｉｉ）〜（ｘｉｉ）の記載を併せみた当業者であれば、（ウ）の（ａ）（実施例１−１、１−５、１−８、１−１０〜１−１７、実施例２−１、２−３〜２−８、２−１０）以外の態様の染毛料組成物であっても、特許発明に規定される成分Ａ〜成分Ｄの各含有量及び（Ａ＋Ｂ）／（Ｃ＋Ｄ）の比に係る要件を満たす成分組成とし、また、カラーリンス（又はカラートリートメント）とするかカラーシャンプーとするかに応じて摘記（ｖｉｉｉ）（成分Ｅに関する記載を含む）又は（ｉｘ）の任意成分に関する記載や（ｘｉｉ）の様々な処方例に関する記載を参照しつつ、例えば（ｘ）の製造条件に係る記載に基づき製造された染毛料組成物であれば、上記ｂ（ａ）の各実施例と同様の、毛髪に対する十分な染色性及び皮膚への抑えられた染着性を併せもたらし得るものである、と推測することに特段の不合理性は認められない。
（３）　以上（１）〜（２）で検討し説示したとおりであるから、特許発明１〜４は、特許明細書の発明の詳細な説明に記載された発明であって、当該発明の詳細な説明の記載に基づき、（２）ウ（ア）の課題を解決できると当業者が認識し得る範囲のものである、ということができる。
　よって、特許発明１〜４は、特許法第３６条第６項第１号に規定する要件（サポート要件）に適合するものである。
３−２．申立人の主張について
　３−１．で検討・説示したとおり、特許発明１〜４はいずれもその記載がサポート要件を満たしているから、以下に述べるとおり、申立人のいう［第３］３（１）及び（２）の点はいずれも採用できない。
（１）［第３］３（１）について
　申立人は、発明が解決しようとする課題について、特許明細書の【０００６】の記載を引用した上で、特許明細書の比較例１−６〜１−１−１０には、「塩基性青７５」を０．０５質量％含有すると、「皮膚汚れ」の評価が「×」になることが記載されているところ、直接染料の含有量が多くなるとさらに地肌汚れが生じやすいことは本件特許優先日前周知技術であるから、比較例１−６〜１−１０の処方に「ＨＣ青１６」を添加しても「塩基性青７５」による皮膚汚れを改善することは常識的にあり得ないことを述べつつ、これらのことに基づき、特許明細書には、「塩基性青７５」を０．０５質量％以上含有した場合には皮膚への染着性は抑えられた染毛料組成物を提供するこができないことが示されているから、特許発明１〜４は、発明の詳細な説明に記載された発明の課題を解決するための手段が反映されておらず発明の詳細な説明に記載した範囲を超えて特許を請求しているものである旨を主張する。
　しかしながら、特許発明１〜４に規定される、成分Ａ（「ＨＣ青１６」）を０．５〜３．０質量%含むこと、及びその他の成分Ａ〜成分Ｄ（若しくは成分Ａ〜成分Ｅ）に係る要件を満たす、例えば「実施例」に係る実施例１−１、１−５、１−８、１−１０〜１−１７、２−１、２−３〜２−８、２−１０が、いずれも十分な染色性及び皮膚への染着の抑制性において共に優れ、特許明細書の【０００６】に記載された解決すべき課題を達成し得ること、並びに、それらの実施例の態様以外にも、特許明細書の記載に基づいて、請求項１〜４に規定される成分（Ａ）〜（Ｄ）若しくは成分（Ａ）〜（Ｅ）に係る要件を満たす態様の染毛料組成物が、上記課題を解決し得るものと認識し得るものであることは、３−１．で検討し説示したとおりである。
　また、特許発明１〜４の染毛料組成物は、請求人のいう「塩基性青７５」を０．０２質量％（比較例１−６）〜０．０５質量％（比較例１−７〜１−１０）含むことを要件とするものではない。そして、申立人が引用する比較例１−６〜１−１０の染毛料組成物は、いずれも成分Ａ（「ＨＣ青１６」）を０．５〜３．０質量%の範囲内で含有するものでない点において特許発明１〜４に係る染毛料組成物ではなく、このことを以て（「実施例」ではなく）「比較例」とされていることは、表２中に示された上記各比較例の成分組成からみて明らかである。
　よって、申立人の上記主張は、請求項１〜４の記載及び実施例、比較例を含む特許明細書の記載事項の正確な把握に基づいた合理的なものとはいえず、採用できない。
（２）［第３］３（２）について
　申立人は、実施例１−１（（Ａ＋Ｂ）／（Ｃ＋Ｄ）の比：１．２７）及び実施例２−１（（Ａ＋Ｂ）／（Ｃ＋Ｄ）の比：０．４１）の色ムラの評価がいずれも「○」であるのに対し、実施例１−７（（Ａ＋Ｂ）／（Ｃ＋Ｄ）の比：３３．３）及び実施例２−１１（（Ａ＋Ｂ）／（Ｃ＋Ｄ）の比：９．０９）の色ムラの評価がいずれも「×」であることに基づき、（Ａ＋Ｂ）／（Ｃ＋Ｄ）の比が上限値の「５．０」である場合においてまでダメージ毛に対する色ムラを改善するとは認められないから、特許発明１〜４は、出願時の技術常識に照らしても、請求項に係る発明の範囲まで発明の詳細な説明に開示された内容を拡張ないし一般化できるとはいえない旨を主張する。
　しかしながら、そもそも、ダメージ毛における色ムラの改善は、特許発明により解決されるべき課題の中に含まれていない［特許発明により解決されるべき課題は、特許明細書の【０００６】に記載されているとおりの、「毛髪に対する十分な染色性を有するにもかかわらず、皮膚への染着性は抑えられた染毛料組成物を提供すること」にあることは、既に３−１．（２）ウ（ア）で述べたとおりである］。
　また、特許発明１〜４がいずれも特許明細書の発明の詳細な説明に記載された発明であって、当該発明の詳細な説明の記載に基づきこの課題を解決できると当業者が認識し得る範囲のものであることも、３−１．で検討し説示したとおりである。［　なお、申立人が引用する実施例１−７や２−１１が、少なくとも上述の課題に係る十分な染色性及び皮膚への染着の抑制性において、実施例１−１や２−１と同様に優れている（「染色性」及び「皮膚汚れ」のいずれの評価も「◎」又は「○」）であることも、表１及び表３において示されているとおりである。］
　よって、ダメージ毛における色ムラの改善の可否に基づき特許発明におけるサポート要件違反の有無を論じる上述の申立人の主張は、そもそも特許発明についてサポート要件違反の有無を検討する際の前提となる、発明が解決すべき課題（３−１．（１）、（２）ウ（ア））の正確な把握に基づくものであるとはいえず、これまた採用の限りでない。
３−３．小括
　以上述べたとおりであるから、特許発明１〜４は、特許明細書の発明の詳細な説明に記載した範囲を超えるものではなく、それら特許発明１〜４に係る特許は、特許法第３６条第６項第１号に規定する要件を満たす請求項の発明についてなされたものである。
　よって、申立人による申立理由３は、理由がない。
［第５］むすび
　以上のとおりであるから、特許異議申立書に記載された特許異議申立人による特許異議申立理由によっては、本件の請求項１〜４に係る特許を取り消すことはできない。
　また、他に本件の請求項１〜４に係る特許を取り消すべき理由を発見しない。
　よって、結論のとおり決定する。
【異議決定日】
令和３年５月１４日（２０２１．５．１４）